(57)【要約】  瓶または他の容器用の王冠は、上部と、上部から切れ目なく下がる環状スカート部とを有する。オープナアセンブリおよび王冠上の壊れやすいスコアリング線の配置構成は、瓶または容器の容易な開封を可能にする。波形の実施形態は、ゲージを小さくした王冠に対して材料強化を提供する。実施形態は、非金属材料で形成された王冠、非金属製オープナアセンブリを有する金属製王冠、および部分的に金属製でありかつ部分的に非金属製であるオープナアセンブリを有する金属製王冠を含む。そのような様々なオープナアセンブリを取り付けるための独自の技術も開示されている。
2018502791.tif 000002
【特許請求の範囲】
【請求項１】
容器開口部用の壊れやすい王冠であって、
王冠本体であって、
上部、
前記上部から下がりかつ底部環状縁で終端する環状側壁を有する環状スカート部、
壊れやすいスコアリング配置構成であって、
前記スカート部の上部から底部縁まで第１の連続的なラジアル方向に延在する曲線状の第１の刻み線、および
曲線状の第２の刻み線であって、
前記スカート部の上部から環状側壁まで前記第１の連続的なラジアル方向に延在する上部放射状セグメント、および
前記上部放射状セグメントから、前記スカート部の底部環状縁から実質的に離間した端点まで、前記スカート部の環状側壁に沿って円周方向に延在する下部環状セグメント、を含む、曲線状の第２の刻み線
を含む、壊れやすいスコアリング配置構成
を含む、王冠本体と、
前記上部の取付部分に取り付けられかつ前記第１および第２の刻み線の１つ以上において前記上部を壊すように構成されたオープナアセンブリであって、非金属製リングプルと、前記非金属製リングプルに接続された非金属製プルタブとを含む、オープナアセンブリと、
前記非金属製プルタブを前記取付部分に結合する取付装置であって、前記取付装置の底部係合面から前記非金属製プルタブに向かって下方へ突出する係合特徴を含み、それにより、前記係合特徴は、前記取付部分に前記オープナアセンブリを取り付けるための前記非金属製プルタブへの前記取付装置の係合を強める、取付装置と、
を含む、壊れやすい王冠。
【請求項２】
前記取付装置は、前記王冠本体またはオープナアセンブリと非一体的であるリベットであり、前記非一体的なリベットは、該リベットの少なくとも１つの底部係合面に位置決めされた前記係合特徴を含み、それにより、前記係合特徴は、前記オープナアセンブリを前記取付部分に取り付けるために前記リベットが圧縮されるときに、前記係合面の底面から下方へ突出して、前記オープナアセンブリのプルタブを係合させるために使用される摩擦力を増大させる、請求項１に記載の壊れやすい王冠。
【請求項３】
前記取付装置は、前記王冠本体の取付部分と一体的に形成されたリベットであり、前記一体的なリベットは、該リベットの細長い側壁の少なくとも一部分に沿って位置決めされた前記係合特徴を含み、それにより、前記係合特徴は、前記オープナアセンブリを前記取付部分に取り付けるために前記リベットが圧縮されるときに、前記非金属製プルタブに向かって下方へ突出して、前記オープナアセンブリのプルタブを係合させるために使用される摩擦力を増大させる、請求項１に記載の壊れやすい王冠。
【請求項４】
前記リベットは、前記非金属製プルタブと一体的に形成された非金属製リベットであり、前記王冠本体の取付部分は、前記オープナアセンブリを前記取付部分に取り付けるために前記非金属製リベットが使用されるときに、該非金属製リベットを受け入れるように構成された孔を含む、請求項１に記載の壊れやすい王冠。
【請求項５】
前記取付部分は、前記上部の直径に対して偏心している、請求項１に記載の壊れやすい王冠。
【請求項６】
凹状部分であって、前記上部において下方に形成されかつ前記オープナアセンブリの少なくとも一部分を前記凹状部分に収容するように構成された凹状部分をさらに含む、請求項１に記載の壊れやすい王冠。
【請求項７】
前記王冠本体は、前記上部に対向する裏面側をさらに含み、前記壊れやすいスコアリング配置構成の刻み線の１つ以上は、前記王冠本体の裏面側に形成されている、請求項１に記載の壊れやすい王冠。
【請求項８】
前記壊れやすいスコアリング配置構成は、前記取付部分の周りに延在しかつ前記第１および第２の刻み線の開始端をつなぐアーチ形の第３の刻み線をさらに含む、請求項１に記載の壊れやすい王冠。
【請求項９】
前記壊れやすいスコアリング配置構成は、前記アーチ形の第３の刻み線から、前記第１のラジアル方向に対して略反対方向の第２の連続的なラジアル方向に放射状に延在する線形の第４の刻み目をさらに含む、請求項８に記載の壊れやすい王冠。
【請求項１０】
前記非金属製プルタブは、前記非金属製プルタブを前記取付部分に結合する前記取付装置と一緒に使用するための金属製グロメットを含む、請求項１に記載の壊れやすい王冠。
【請求項１１】
容器開口部用の壊れやすい王冠であって、
王冠本体であって、
上部、
前記上部から下がりかつ底部環状縁で終端する環状側壁を有する環状スカート部、
壊れやすいスコアリング配置構成であって、
前記スカート部の上部から底部縁まで第１の連続的なラジアル方向に延在する曲線状の第１の刻み線、および
曲線状の第２の刻み線であって、
前記スカート部の上部から環状側壁まで前記第１の連続的なラジアル方向に延在する上部放射状セグメント、および
前記上部放射状セグメントから、前記スカート部の底部環状縁から実質的に離間した端点まで、前記スカート部の環状側壁に沿って円周方向に延在する下部環状セグメント、を含む、曲線状の第２の刻み線
を含む、壊れやすいスコアリング配置構成
を含む、王冠本体と、
前記上部の取付部分に取り付けられかつ前記第１および第２の刻み線の１つ以上において前記上部を壊すように構成されたオープナアセンブリであって、非金属製リングプルおよび金属製プルタブを含み、前記非金属製リングプルの接続部分は、前記金属製プルタブの接続端部を収容するように構成され、前記接続端部は、前記非金属製リングプルの接続部分内に延在しかつそれと係合するように構成された係合特徴を有する、オープナアセンブリと、
前記金属製プルタブを前記取付部分に結合する取付装置と、
を含む、壊れやすい王冠。
【請求項１２】
前記金属製プルタブ上の前記係合特徴は、
前記非金属製リングプル内に前記金属製プルタブの接続端部を固定するための、該端部の上面および下面のそれぞれの上における１つ以上の垂直方向に延在するかかり、
前記非金属製リングプル内に前記金属製プルタブの接続端部を固定するための、該端部の上面および下面のそれぞれの上における１つ以上の水平方向に延在するかかり、および
前記非金属製リングプル内に前記金属製プルタブの接続端部を固定するための、該端部の上面および下面のそれぞれの上における１つ以上の垂直方向に延在する段、
からなる群から選択される、請求項１１に記載の壊れやすい王冠。
【請求項１３】
前記取付装置は、前記王冠本体の取付部分と一体的に形成されたリベットであり、前記一体的なリベットは、前記オープナアセンブリを前記取付部分に取り付けるために該リベットが圧縮されるときに、前記オープナアセンブリの金属製プルタブを係合させることを含む、請求項１１に記載の壊れやすい王冠。
【請求項１４】
前記取付部分は、前記上部の直径に対して偏心している、請求項１１に記載の壊れやすい王冠。
【請求項１５】
前記壊れやすいスコアリング配置構成は、前記取付部分の周りに延在しかつ前記第１および第２の刻み線の開始端をつなぐアーチ形の第３の刻み線をさらに含む、請求項１１に記載の壊れやすい王冠。
【請求項１６】
前記壊れやすいスコアリング配置構成は、前記アーチ形の第３の刻み線から、前記第１のラジアル方向に対して略反対方向の第２の連続的なラジアル方向に放射状に延在する線形の第４の刻み目をさらに含む、請求項１５に記載の壊れやすい王冠。
【請求項１７】
容器開口部用の壊れやすい王冠であって、
上部と、
前記上部から下がりかつ底部環状縁で終端する環状側壁を有する環状スカート部と、
非金属製リングプルと、金属製プルタブであって、前記金属製プルタブに形成された係合特徴を使用して前記非金属製リングプルに接続された金属製プルタブと、を含むオープナアセンブリであって、前記金属製プルタブは、前記環状側壁の取付部分と一体的に形成されている、オープナアセンブリと、
凹状部分であって、前記上部内に形成されかつ前記非金属製リングプルを前記凹状部分に収容するように構成された凹状部分と、
壊れやすいスコアリング配置構成であって、
前記凹状部分から前記環状側壁に沿って前記スカート部の底部縁まで、第１の連続的なラジアル方向に延在する曲線状の第１の刻み線、および
曲線状の第２の刻み線であって、
前記環状側壁から前記スカート部の中間部分まで、前記第１の連続的なラジアル方向に延在する上部放射状セグメント、および
前記上部放射状セグメントから、前記スカート部の底部環状縁から実質的に離間した端点まで、前記スカート部の中間部分に沿って円周方向に延在する下部環状セグメント、を含む、曲線状の第２の刻み線、
を含む、壊れやすいスコアリング配置構成と、
を含む、壊れやすい王冠。
【請求項１８】
前記上部から上向きに形成されかつ前記オープナアセンブリの非金属製リングプル内に収容されるように構成された隆起をさらに含む、請求項１７に記載の壊れやすい王冠。
【請求項１９】
前記隆起は、円形でありかつ前記凹状部分内に同心で形成されている、請求項１８に記載の壊れやすい王冠。
【請求項２０】
前記隆起の頂面は、前記王冠の上部と略同じ高さである、請求項１８に記載の壊れやすい王冠。
【請求項２１】
前記金属製プルタブ上の係合特徴は、
前記非金属製リングプル内に前記金属製プルタブの端部を固定するための、該端部の上面および下面のそれぞれの上における１つ以上の垂直方向に延在するかかり、
前記非金属製リングプル内に前記金属製プルタブの端部を固定するための、該端部の上面および下面のそれぞれの上における１つ以上の水平方向に延在するかかり、
前記非金属製リングプル内に前記金属製プルタブの端部を固定するための、該端部の上面および下面のそれぞれの上における１つ以上の垂直方向に延在する段、および
前記金属製プルタブの端部を貫通して形成され、かつ前記非金属製リングプルの収容領域から対応する１つ以上のリベットを収容して、前記非金属製リングプルの収容領域に前記金属製プルタブの端部を固定するように構成された１つ以上の孔、
からなる群から選択される、請求項１７に記載の壊れやすい王冠。
【請求項２２】
前記王冠本体は、前記上部に対向する裏面側をさらに含み、前記壊れやすいスコアリング配置構成の刻み線の１つ以上は、前記王冠本体の裏面側に形成されている、請求項１７に記載の壊れやすい王冠。
【発明の詳細な説明】
【技術分野】
【０００１】
本開示は、飲料瓶および他の容器用のキャップおよび王冠に関し、特に、非金属材料で作製されたキャップ本体およびオープナアセンブリのうちの１つ以上を有する、手動で引いて開封する瓶のキャップに関する。
【背景技術】
【０００２】
栓抜きを使用せずに比較的簡単に手動で開封される飲料瓶は、飲料提供者にとって長年の切実なニーズであった。瓶キャップは、瓶開口部に確実に固定されて、内容物のこぼれ、圧力損失（加圧飲料または炭酸飲料の場合）を防止し、内部の製品を破壊し得る酸素を締め出し、および内容物の衛生状況を維持する必要がある。確実な密封性は、瓶を手で開封するのを困難にし得る。
【０００３】
王冠と同じ意味で呼ばれ得るキャップは、容器の開口を覆う王冠の下方のスカート部を、開口部の外周を取り巻く一連の凹形円弧でクリンプ加工することによって瓶開口部に固定される。このような凹形円弧は、各凹形円弧間に鋭い凸状点を形成する。これらの円弧および凸状点は、当業者により「アングル（ａｎｇｌｅｓ）」または「ひだ（ｆｌｕｔｅｓ）」と呼ばれることが多い。
【０００４】
よく知られたねじ切り瓶キャップの出現は、手動で瓶を開封することに関する著しい進歩であったが、キャップをかなり強く握りねじって自由にすることがあまりにも頻繁に必要となるため、キャップのアングルの凸状点では、手または指に痛みを与えるかまたは手または指を切ることもある。手を怪我しないように保護するためによく行われていることは、キャップをねじる前に、シャツの裾または布を瓶キャップに巻き付けることである。また、栓抜きを使用することも一般的であるが、これらはまた、ガラス製容器からそのような王冠をこじ開けるためにそれらを使用することにより、ガラスの削りくずまたは破片を生じ得、それらがガラス瓶または容器に落ちて消費者によって消費されるか、または容器の口のネジ山または他の部分が欠けて消費者の唇または舌を切ることがあるという点で危険であり得る。
【０００５】
飲料缶に使用されるものと同様の、プルリングおよびタブに適合される瓶キャップが中国およびアジアの他の地域で知られている。しかしながら、そのようなプルタブの瓶キャップは、開封するのが難しいことで知られている。なぜなら、シールを壊し、その後、タブを引き戻して（金属を引き裂いて）キャップを取り除くために、好ましくない量の力を加える必要があるためである。瓶キャップの別のプルタブの解決法は、マグナスン（Ｍａｇｎｕｓｓｏｎ）の１９８８年９月６日発行の特許文献１に説明されているような、マキシキャップ（Ｍａｘｉ  Ｃａｐ）（登録商標）またはマキシ−Ｐ（Ｍａｘｉ−Ｐ）（登録商標）として知られている。これらの王冠は、王冠の延長部として瓶の首の側面に沿って配置されたリングプルを提供するため、標準的なスカート部クリンプ加工瓶打栓機と一緒に使用するには問題がある。事実、特別な打栓機が実際にマキシキャップ（Ｍａｘｉ  Ｃａｐ）（登録商標）、マキシ−Ｐ（Ｍａｘｉ−Ｐ）（登録商標）または他の側面リングプル王冠を備えるキャップ瓶に必要とされる。
【先行技術文献】
【特許文献】
【０００６】
【特許文献１】米国特許第４，７６８，６６７号明細書
【発明の概要】
【発明が解決しようとする課題】
【０００７】
従って、簡単に手動で開封されるが、当業界で一般的な業界標準の瓶打栓機を使用して瓶開口部の周りが確実に密封され得る瓶の王冠が必要とされている。
【課題を解決するための手段】
【０００８】
従来技術の欠点を克服するために、開示される原理は、上部と、上部から連続的に下がっている環状スカート部とを含む、瓶または他の容器開口部用の王冠の様々な実施形態を提供する。多くの有利な実施形態は、オープナアセンブリをさらに含み、王冠上への壊れやすいスコアリング線（ｓｃｏｒｉｎｇ  ｌｉｎｅ）の配置構成により、瓶または容器を容易に開封することができるようにする。具体的には、オープナアセンブリは、ユーザによって動作されるとき、王冠上の壊れやすいスコアリング線を壊すことができるように係合して、刻み線に沿って王冠を壊すかまたは引き裂くようにする。いくつかの実施形態は、王冠の上部において、ゲージが小さくされた王冠に対して材料強化を提供する１つ以上の波形特徴をさらに含む。多数の実施形態およびそのような各実施形態に関連付けられた利点が以下でさらに詳細に説明される。
【０００９】
以下の詳細な説明は、実施形態の非限定的な例として表記された図面を参照し、図面では、参照符号はいくつかの図面を通して同じ部分を表す。
【図面の簡単な説明】
【００１０】
【図１】オープナアセンブリのない状態で示される、開示される原理による王冠の一実施形態の上面等角図を示す。
【図２Ａ】非金属製オープナアセンブリを有する本開示の一実施形態による王冠の代替的な図を示す。
【図２Ｂ】非金属製オープナアセンブリを有する本開示の一実施形態による王冠の代替的な図を示す。
【図２Ｃ】非金属製オープナアセンブリを有する本開示の一実施形態による王冠の代替的な図を示す。
【図３】本開示による王冠の例示的な実施形態の垂直断面図を示す。
【図３Ａ】ネジ付きスカート部を有する、本開示による王冠の例示的な実施形態の垂直断面図を示す。
【図４】細長いスカート部を有する、本開示による王冠の例示的な代替実施形態の垂直断面図を示す。
【図５】図２の王冠の代替実施形態の上面等角図を示す。
【図６】王冠の頂面の凹部内に完全に収容されたオープナアセンブリを有する、図５の王冠の一実施形態の垂直断面図を示す。
【図７】王冠の頂面の凹部内に部分的にのみ収容されたオープナアセンブリを有する、図５の王冠の代替実施形態の垂直断面図を示す。
【図８】王冠が割って開封された、図５の王冠の代替実施形態の上面等角図を示す。
【図９】王冠が部分的にのみ割って開封された、図８の王冠の実施形態の上面図を示す。
【図１０Ａ】本開示による壊れやすいスコアリング配置構成の刻み線の代替実施形態の垂直断面図を示す。
【図１０Ｂ】本開示による壊れやすいスコアリング配置構成の刻み線の代替実施形態の垂直断面図を示す。
【図１０Ｃ】本開示による壊れやすいスコアリング配置構成の刻み線の代替実施形態の垂直断面図を示す。
【図１０Ｄ】刻み線が本開示の王冠の裏面側に配置されている、図１０Ａの刻み線の代替実施形態を示す。
【図１０Ｅ】刻み線が本開示の王冠の裏面側に配置されている、図１０Ｂの刻み線の代替実施形態を示す。
【図１０Ｆ】刻み線が本開示の王冠の裏面側に配置されている、図１０Ｃの刻み線の代替実施形態を示す。
【図１１】オープナアセンブリのプルタブ用の取付部分に関する偏心位置を示す、本開示の王冠の代替実施形態の上面図を示す。
【図１２】代替的な刻み線を備えるオープナアセンブリのプルタブ用の取付部分に対する偏心位置を有する、本開示の王冠の代替実施形態の上面図を示す。
【図１３】別の代替的な刻み線を備えるオープナアセンブリのプルタブ用の取付部分に対する偏心位置を有する、本開示の王冠のさらに別の代替実施形態の上面図を示す。
【図１４】図１２の実施形態と同様のオープナアセンブリのプルタブ用の取付部分に対する偏心位置を有するが、王冠のスカート部にクリンプ加工アングルを有しない、本開示の王冠の別の代替実施形態の等角図を示す。
【図１５Ａ】本開示の王冠の壊されていない刻み線の垂直断面図を示す。
【図１５Ｂ】王冠が割って開封されるときに壊された、図１５Ａの刻み線の垂直断面図を示す。
【図１６】王冠の中心にオープナアセンブリ用の取付部分を有し、および取付部分の後部から生じる刻み線に関する様々な任意選択的な角度を説明する、本開示の王冠の例示的な実施形態の上面図を示す。
【図１７】王冠の中心に配置されたオープナアセンブリ用の取付部分を有し、および取付部分の前部から生じる刻み線に関する様々な任意選択的な角度を説明する、本開示の王冠の例示的な代替実施形態の上面図を示す。
【図１８】王冠の中心に配置されたオープナアセンブリ用の取付部分を有し、および取付部分を取り囲むアーチ形の第３の刻み線から生じる刻み線に関する様々な任意選択的な角度を説明する、本開示の王冠の別の例示的な実施形態の上面図を示す。
【図１９】取付部分を取り囲むアーチ形の第３の刻み線から生じる任意選択的な第４の刻み線を有する、図１８の王冠の例示的な代替実施形態の上面図を示す。
【図２０】王冠の頂面に偏心して配置されたオープナアセンブリ用の取付部分を有し、および偏心取付部分の後部から生じる刻み線に関する様々な任意選択的な角度を説明する、本開示の王冠の別の例示的な実施形態の上面図を示す。
【図２１】王冠に偏心して配置されたオープナアセンブリ用の取付部分を有し、および偏心取付部分の前部から生じる刻み線に関する様々な任意選択的な角度を説明する、本開示の王冠の別の例示的な代替実施形態の上面図を示す。
【図２２】王冠に偏心して配置されたオープナアセンブリ用の取付部分を有し、および取付部分を取り囲むアーチ形の第３の刻み線から生じる刻み線に関する様々な任意選択的な角度を説明する、本開示の王冠の別の例示的な実施形態の上面図を示す。
【図２３】取付部分を取り囲むアーチ形の第３の刻み線から生じる任意選択的な第４の刻み線を有する、図２２の王冠のさらに別の例示的な実施形態の上面図を示す。
【図２４】非金属製オープナアセンブリが偏心して取り付けられかつ王冠の頂面の凹部内に配置された、本開示の王冠の上面図を示す。
【図２５Ａ】オープナアセンブリが王冠の頂面内に収容されていない状態で、非金属製オープナアセンブリが偏心して取り付けられた、本開示の王冠の上面図を示す。
【図２５Ｂ】図２５Ａの王冠用のライナー構成を示す垂直断面図を示す。
【図２５Ｃ】図２５Ａの王冠用のライナー構成を示す垂直断面図を示す。
【図２５Ｄ】図２５Ａの王冠用のライナー構成を示す垂直断面図を示す。
【図２６】王冠の中心に取り付けられた非金属製オープナアセンブリを有し、および王冠のスカート部にしわの寄ったアングルを有しない、本開示の王冠の上面等角図を示す。
【図２７】王冠が割って開封された状態の、図２６の王冠の上面等角図を示す。
【図２８】非金属製オープナアセンブリを使用して王冠の上部を開封して取り除いて、王冠が取り付けられる容器の下側にある膜をさらけ出している、図２６の王冠の代替実施形態の上面等角図を示す。
【図２９】非金属製の栓を含む非金属製オープナアセンブリを有する王冠の代替実施形態の上面等角図を示す。
【図３０】係合特徴を有する本開示のリベットの一実施形態の斜視上面図および側面図を示す。
【図３１】図３０のリベットの実施形態の斜視底面図および側面図を示す。
【図３２】係合特徴を有する本開示のリベットの３つの例示的な実施形態の側面図を示す。
【図３３】開示される原理による、係合特徴を有するリベットの代替実施形態の底面図を示す。
【図３４】開示される原理による、係合特徴を有するリベットの代替実施形態の斜視底面図を示す。
【図３５】開示される原理による、係合特徴を有するリベットのさらに別の代替実施形態の斜視底面図を示す。
【図３６】リベットを用いずに、オープナアセンブリのプルタブが王冠に取り付けられている、開示される原理による王冠の代替実施形態の垂直断面図を示す。
【図３７】図３６の王冠の代替実施形態の垂直断面図を示す。
【図３８Ａ】２つの一体的なリベットを有する、開示される原理に従って構成された、オープナアセンブリの代替実施形態の斜視図を示す。
【図３８Ｂ】単一の一体的なリベットを有する、開示される原理に従って構成された、オープナアセンブリの代替実施形態の斜視図を示す。
【図３９】１つ以上の一体的な隠しリベットを有する、開示される原理に従って構成された、オープナアセンブリの別の代替実施形態の斜視図を示す。
【図４０】図３９の王冠の代替実施形態の側面図を示す。
【図４１Ａ】図３９の王冠の代替実施形態の上面等角図を示す。
【図４１Ｂ】図４１Ａのオープナアセンブリと同様であるが、２つのリベットを有する実施形態を示す。
【図４２】本開示の一実施形態による、金属および非金属製オープナアセンブリの上面図を示す。
【図４３Ａ】様々な固定手段のいずれかによって非金属製リングプル内に固定された金属製プルタブを含む、開示される原理によるオープナアセンブリの別の実施形態の上面図を示す。
【図４３Ｂ】線Ａ−Ａに沿って取った図４３Ａのオープナアセンブリの断面図を示し、非金属製リングプル内に金属製プルタブを固定するために用いられる金属製プルタブ上の例示的な係合特徴を示す。
【図４３Ｃ】線Ａ−Ａに沿って取った図４３Ａのオープナアセンブリの断面図を示し、非金属製リングプル内に金属製プルタブを固定するために用いられる金属製プルタブ上の例示的な係合特徴を示す。
【図４３Ｄ】線Ａ−Ａに沿って取った図４３Ａのオープナアセンブリの断面図を示し、非金属製リングプル内に金属製プルタブを固定するために用いられる金属製プルタブ上の例示的な係合特徴を示す。
【図４３Ｅ】線Ａ−Ａに沿って取った図４３Ａのオープナアセンブリの断面図を示し、非金属製リングプル内に金属製プルタブを固定するために用いられる金属製プルタブ上の例示的な係合特徴を示す。
【図４４】プルタブ内の金属製グロメットで補強された、非金属製リングプルおよびプルタブの上面等角図を示す。
【図４４Ａ】図４４の実施形態からの例示的な金属製グロメットの上面等角図を示す。
【図４４Ｂ】図４４の実施形態からの例示的な金属製グロメットの側面図を示す。
【図４５Ａ】一体的に形成されたリベットを備える金属製王冠本体の側面図を示し、リベットヘッドから延在するポストは、研磨面を含む側壁を含む。
【図４５Ｂ】一体的に形成されたリベットを備える金属製王冠本体の側面図を示し、リベットヘッドから延在するポストは、研磨面を含む側壁を含む。
【図４５Ｃ】一体的に形成されたリベットを備える金属製王冠本体の側面図を示し、リベットヘッドから延在するポストは、研磨面を含む側壁を含む。
【図４６】一体型非金属製オープナアセンブリを備える、容器王冠の一実施形態の上面等角図を示す。
【図４７】一体型非金属製オープナアセンブリを備える、容器王冠の代替実施形態の上面等角図を示す。
【図４８】中間の開封位置にあるリングプルを備える、図４７の王冠の上面等角図を示す。
【発明を実施するための形態】
【００１１】
上記を考慮して、１つ以上の様々な態様、実施形態および／または特定の特徴もしくはサブコンポーネントを通じ、本開示は、従って、説明から明白となる１つ以上の利点を引き出すことを意図する。本開示は、説明および例として１つ以上の具体的な実施形態を参照する。従って、用語、例、図面および実施形態は説明のためのものであり、本開示の範囲に限定することを意図するものではないことが理解される。「王冠」および「キャップ」という用語は、以下の説明では同じ意味で使用され得る。
【００１２】
図１は、本開示の一実施形態による王冠１の上面等角図を示す。しかしながら、説明を明確にするために、王冠１は、一般に開示される原理に従って王冠１を開封するために使用されるプルタブ、リングプル、またはリベットのない状態で示されている。王冠１は、王冠の外周に複数のアングル（または「ひだ」）を備えて形成されてもよく、これらのアングルは、円形の瓶開口部の周りにシールを形成するようにクリンプ加工され、かつそれにより王冠１のスカート部となる。密封瓶から王冠１を取り除くことを容易にするため、王冠１の表面は、刻み線（ｓｃｏｒｅ  ｌｉｎｅ）６（本明細書では「切れ目」と呼ばれることもある）を特徴としており、これらの刻み線は、一般に、オープナアセンブリ（図示せず）の取付部分１５からスカート部の底部縁またはリム７ａに向かって広がっている。図１は、約２０度の広がりの角度を示す。しかしながら、本開示は、例えば代替的な広がりの度合いで置き換えられ得ること、または刻み線がリム７ａに向かって収束し得ることが考えられる。刻み線は、さらに略平行であってもよい。収束または広がり、および刻み線を分離する選択された度合い、すなわち角度は、わずか１つであり得る刻み線の数のように、設計上の選択に関する問題である。従って、本発明は、特定の王冠の工学的設計に選択され得る刻み線のあらゆる変更を想定する。
【００１３】
好ましい実施形態では、刻み線の１つ６ｅは、スカート部７に沿って延在するＳ字型カーブまたはテイルセグメント６ｆを提供し、このスカート部は、王冠１の頂面から連続的に下がっている。スカート部７について、本開示において以下でより詳細に説明する。Ｓ字型カーブ６ｆは、容器開口部からの王冠１の取り外しを容易にし得る。動作中、以下で説明するように、人がオープナアセンブリを使用して、刻み線６ｄおよび６ｅに沿って取付部分１５から引き裂く。裂け目がＳ字型カーブ６ｆに達すると、引裂力が刻み線６ｄから離れてＳ字型カーブを辿り、および刻み線６ｄに沿って裂け目を終端１６まで押し進めて、そこで王冠１を壊して開封する。
【００１４】
Ｓ字型カーブ６ｆに沿った継続的な引裂力により、スカート部７を容器開口部（図示せず）から引き離し、かつ容器（図示せず）から王冠１を解放する。Ｓ字型カーブ６ｆは、オープナアセンブリから放射軸に沿ってスカート部７まで延在する上部放射状セグメントと、スカート部７に沿って外周囲を環状方向に延在しかつ上部放射状セグメントの終端から延在する下部環状セグメントとを有する刻み線からなり、下部環状セグメントは、スカート部７の下縁に関連付けられた第１の水平面に対して等距離にある第２の水平面に画定されている。
【００１５】
代替実施形態は、王冠の頂面の中心から王冠の環状縁７ａまで延在する直線的な左側の刻み線６ｄを特徴であり得る。本開示の王冠の開封により、（環状縁と交差する刻み線の角度に基づいて）鋭いコーナが生成されるリスクを低減するために、そのような切れ目または刻み線は、プルタブおよびリングプルが引きはがされた後、王冠の縁１６に沿って終端する緩やかなカーブをもたらす。工学的なまたは設計上の選択による所望の性能特徴を得るために、異なる曲度が選択され得る。比較的平坦な刻み線は、例えば、滑らかな縁を生じるが、引き裂くためにより多くの力を必要とする一方、比較的より湾曲した刻み線は、例えば、引き裂くためにあまり力を必要としないことがあり得るが、直線的な刻み線のものと異なる形状の縁を生じる。さらに、王冠の上部に沿った２つの刻み線間に任意の所望の角度が用いられてもよく、および有利な実施形態では、２つの刻み線間の角度は約１２度である。図１に示すように、右側の刻み線は、右側へ弧を描き、および王冠の縁の前で終端するため、王冠は、王冠が瓶から取り除かれた後、または王冠がどのような容器を密封していたとしても、ユニタリーピースとして保存される。また、刻み線６ｄおよび６ｅを王冠１の外部に形成されているとして示すが、これらの刻み線６ｄおよび６ｅは、必要に応じて王冠１の裏面側または王冠１の頂面および内側の両方から形成され得る。
【００１６】
図１に示す別の特徴は、王冠１内で押し下げられかつ本開示のオープナリングプル装置によって見えなくされないように位置決めされたディンプルなどの１つ以上の損傷インジケータ１７を示す。真空密封される容器では、圧力シールが失われる場合に損傷インジケータ１７が飛び出す。
【００１７】
図２Ａは、図１の王冠１を上面図で示すが、ここで、本開示の一実施形態によるオープナアセンブリを有している。この実施形態では、オープナアセンブリは、リングプル（または代替的にプルリング）２と、リングプル２に接続されたプルタブ３とを含む。さらに、プルタブ３は、リベットを使用して王冠１の取付部分に取り付けられて示されている。この実施形態では、オープナアセンブリのリングプル２およびプルタブ３は、本明細書で開示された原理に従って非金属材料から構成されている。さらに、そのような非金属製オープナアセンブリは、取付部分において、金属製リベット４を使用して王冠本体に取り付けられる。具体的には、この実施形態では、そのような非金属製オープナアセンブリは、例示的なリベットまたは以下で詳細に説明する他の技術のうちの１つを使用して、取付部分において王冠本体に取り付けられ得る。他の実施形態では、王冠、リングプル、プルタブおよびリベットのそれぞれ、全て、またはそのいずれかの組み合わせは、以下で説明するように、金属、非金属、または複合材を使用して製造され得る。
【００１８】
図２Ａでは、刻み線は、まとめて符号２２８が付され、これらは、王冠１の「後部」として指定される箇所に位置決めされている、すなわち、王冠１の上部上で、王冠１の「前部」に配置される主刻み線６ｄおよび６ｅからほぼ反対側に配置されている。図２Ａは、図１に示す王冠本体のような王冠本体の代替実施形態を示し、ここで、各代替実施形態は、工学的なまたは設計上の選択に応じて、後部刻み線２２８Ａ、２２８Ｂ、２２８Ｃ、２２８Ｄ、または２２８Ｅの１つ以上を備えている。後部刻み線２２８Ａ、２２８Ｂ、２２８Ｃ、２２８Ｄ、または２２８Ｅのそれぞれは、互いに異なる角度でおよびオープナアセンブリの位置から王冠１の上部を延在する。代替実施形態では、１つ以上の後部刻み線２２８Ａ、２２８Ｂ、２２８Ｃ、２２８Ｄ、または２２８Ｅは、王冠１の裏面側（または内側）を延在し得る。さらに他の実施形態では、１つ以上の後部刻み線２２８Ａ、２２８Ｂ、２２８Ｃ、２２８Ｄ、または２２８Ｅは、王冠１の頂面および裏面側の両方内へと形成され得る。
【００１９】
一実施形態では、１つ以上の後部刻み線２２８Ａ、２２８Ｂ、２２８Ｃ、２２８Ｄ、または２２８Ｅの位置合わせは、図示の通り、王冠１の中心に対して放射状に形成され得る。他の実施形態では、１つ以上の後部刻み線２２８Ａ、２２８Ｂ、２２８Ｃ、２２８Ｄ、または２２８Ｅの位置合わせは、王冠１の中心に関係なく、別の形状または位置合わせにあり得る。後部刻み線２２８Ａ、２２８Ｂ、２２８Ｃ、２２８Ｄ、または２２８Ｅの１つ以上を含むことにより、開示される原理に従って構成された王冠に構造的な利点をもたらす。例えば、１つ以上の後部刻み線２２８Ａ、２２８Ｂ、２２８Ｃ、２２８Ｄ、または２２８Ｅは、それらに力が加えられると、亀裂が入るかまたは他の方法で壊れるように構成される。より具体的には、１つ以上の後部刻み線２２８Ａ、２２８Ｂ、２２８Ｃ、２２８Ｄ、または２２８Ｅは、好ましくは、容器から王冠１を開封して取り除くためにオープナアセンブリが用いられるときに、リングプル２の後部分が接触するように位置決定されて配置される。係合部分（１つ以上の後部刻み線２２８Ａ、２２８Ｂ、２２８Ｃ、２２８Ｄ、または２２８Ｅに近接したリングプル２の後部にある点またはコーナとして示す）は、リングプルの前部（ディボット（ｄｉｖｏｔ）１１ａを含む）がユーザによって上げられるときに、１つ以上の後部刻み線２２８Ａ、２２８Ｂ、２２８Ｃ、２２８Ｄ、または２２８Ｅを押し下げるように構成され得る。そのような実施形態では、係合部分は、１つ以上の後部刻み線２２８Ａ、２２８Ｂ、２２８Ｃ、２２８Ｄ、または２２８Ｅの領域に力を加えて、それらを壊すようにする。１つ以上の後部刻み線２２８Ａ、２２８Ｂ、２２８Ｃ、２２８Ｄ、または２２８Ｅに加えられるこの力は、王冠１を開封して取り除くのを容易にするだけでなく、それら１つ以上の後部刻み線を通して、王冠１によって容器内に保持された加圧ガスの初期の漏出を生じさせもする。
【００２０】
図２Ａの実施形態の別の特徴は、リングプル２に関する。具体的には、指の爪用ディボット１１ａが示されており、ここで、ディボット１１ａは、リングプル２の裏面２ａに形成されているが、ディボット１１ａの位置におけるリングプル２の頂面２ｂは、リングプル２の全頂面２ｂと同一平面内に留まる。ディボット１１ａは、リングプル２の薄い部分を提供し得、それにより、開封プロセスを開始するために、指の爪でのリングプル２の持ち上げを容易にする。リングプル２のこの薄い部分によって設けられる間隙は、図４５の王冠１の正面図において見られる。有利には、指の爪用ディボット１１ａは、ユーザによるリングプル２の係合を容易にするだけでなく、王冠１のオープナアセンブリの動作に使用されるリングプル２の部分を視覚表示としても提供し得る。オープナアセンブリはまた、オープナアセンブリをどのように動作するかについての視覚的表示を含んでもよく、これは、図示の実施形態では、オープナアセンブリのリングプル２および／またはプルタブ３の頂面に刻印またはエンボス加工された太矢印を含む。図示の実施形態では、その矢印は、リングプル２を、適切な刻み線に沿って王冠に「亀裂を入れる」ために上方に上げたら引き戻し、その後、わずかに右側へ引くようにユーザに指示する。そのため、王冠１は、上述のように刻み線６ｄおよび６ｅに沿って裂ける。
【００２１】
この図示の実施形態では、ディボット１１ａは、リングプル２の凹状部分によって提供され（リングプル２の直径に関して）、ここで、凹状部分は、リングプル２全体の湾曲と略同様の湾曲を含む。しかしながら、他の実施形態では、ディボット１１ａの凹状部分は、リングプル２の残部の湾曲とは反対の（すなわち、内向きの）湾曲を含んでもよい。およびいくつかの実施形態では、ディボット１１ａを含む凹部は、図４４に示す「段付き」凹部ではなく、滑らかな、リングプル２の残りの部分に対して内向きの湾曲であってもよい。また、他の実施形態では、ディボット１１ａは、リングプル２の凹部ではなく、その代わりに、リングプル２の直径を越えて延在する突起を含んでもよい。そのような実施形態では、指の爪用ディボット１１ａを含むリングプル２の突出部分は、同様に、リングプルの薄い部分を含み得る。そのうえさらに、他の実施形態では、ディボット１１ａは、リングプル２の残りの部分を越えて突出しなくても、またはそこで窪んでいなくてもよく、その代わりに、リングプル２の残りの部分と同じ直径を維持する。そのような実施形態では、ディボット１１ａは、ここでも、リングプル２の薄い部分として設けられて、オープナアセンブリを動作するユーザの指の爪を受け入れる。
【００２２】
図２Ｂは、王冠１の「背面」または「後面」を示す、図２Ａの王冠１の後面図を示す。ディンプル１１５Ａ／１１５Ｂは、王冠１の頂面１７に形成され、かつ凹部４４０に近接してリングプル２の下側に配置される。リングプル２の凹部４４０は、リングプル２の水平面内に形成され、かつ開封プロセスの際のディンプル１１５Ａ／１１５Ｂの上方へのリングプル２の垂直回転運動を容易にする。より具体的には、リングプル２は、オープナアセンブリが動作されない間、凹部４４０があるためにディンプル１１５Ａ／１１５Ｂに接触しないが、これは、ユーザがオープナアセンブリを動作させると変化する。
【００２３】
ユーザがリングプル２の前部を王冠１の頂面１７から上方へ引くと（例えば、ユーザの指の爪をディボット１１ａに係合させることによって）、凹部４４０の頂面は、最終的に、ディンプル１１５Ａ／１１５Ｂに係合する。ユーザがリングプル２の前部を王冠１から上方へ上げ続けると、ディンプル１１５Ａ／１１５Ｂへの凹部の頂面の接触により、リングプル２に支点を生じる。特に、ディンプル１１５Ａ／１１５Ｂによってもたらされたこの支点は、ユーザがリングプル２の前部を上方に上げ続けるときに、リングプル２の後部（上述の）にある係合部分を王冠１の頂面１７へと下方へ強制的に押し下げることができるようにする。従って、ディンプル１１５Ａ／１１５Ｂの正確な位置決定により、リングプル２にこの支点をもたらし、それにより、有利には、オープナアセンブリを動作するユーザによって必要とされる開封力が減少する。支点により、必要とされる開封力が減少されるため、オープナアセンブリが未使用の位置に留まっている間のディンプル１１５Ａ／１１５Ｂからの凹部４４０のスペーシングは、王冠１が偶発的にひび割れる可能性を低減させ得る。しかしながら、ディンプル１１５Ａ／１１５Ｂからの、リングプル２のそのような凹部４４０のスペーシングは必要でない。
【００２４】
図２Ｃは、水平に９０°回転された図２Ｂの王冠の側面図を示す。この図では、いくつかの実施形態において、上記で詳細に説明したように、ディボット１１ａが指の爪に適応させるようにリングプル２の裏面２ａの一部分をくり抜くことにより、リングプル２にオーバーハングまたは上部リップ１１ｃを生じ得るが、リングプル２の上部２ｂはリングプル２の頂面全体と同一平面上に留まることがさらに容易に明らかである。
【００２５】
図３は、本開示の瓶の王冠１の特定の例示的な実施形態の垂直側縦断面を示す。リングプル２、プルタブ３およびリベット４は、組み合わせて、本明細書では、場合によりオープナアセンブリと呼ばれ得る。オープナアセンブリ機構を使用する代わりに、手動でねじることによって瓶から王冠１を選択的に取り外すために雌ネジ８が設けられ得る。刻み線６は、王冠１のリムのアングル７から、王冠１のほぼ中心に向かって下方にテーパが付けられ、テーパ付きの引裂溝を提供する。例えば、テーパ付きの溝の深さは、王冠１のリム付近の約０．０３〜０．０２ｍｍの範囲の深さから、王冠１の中心付近のリベット４の近傍での約０．１０〜０．０８ｍｍの範囲の深さまで次第に変化し得る。
【００２６】
図４は、本開示の瓶キャップの特定の例示的な代替実施形態の垂直側縦断面を示す。ネジ８の代わりに、またはそれに加えて、王冠１は、図４に示すように、図３のリム７ａと比べて長尺のリム７ｂを有して形成され得る。ネジ付きの瓶開口部の上側を覆って標準的な王冠を固定することは、ネジが瓶開口部の外面の表面積を大きくするため、問題となり得る。標準的な王冠は、ネジ付きの瓶の余分な表面積にわたって延在するほど十分に大きくなくてもよい。長尺のリム７ｂは、ネジ付きの瓶開口部の上側を覆う王冠１がクリンプ加工されて、長尺のアングル７ｃをもたらすことができるようにする有利な代替実施形態であり得る。さらなる利点として、図４の王冠１は、王冠１自体が図３に示すように内部にネジが切られずに、ネジ付きの瓶からねじって外され得る。王冠１のブリキ材料を引きちぎって開封するためのてこの作用および追加的な剪断力のために、レバー５が設けられ、これは、ブリキまたは同様の材料などの金属であるか、または樹脂または他のプラスチック材料であるかに関わらない。
【００２７】
王冠１は、金属、非金属、または金属粒子もしくは他の磁性粒子が注入されたプラスチック樹脂などのこれらのハイブリッド／組み合わせで構成され得る。金属は、アルミニウム合金および合金鋼、例えばスチールブリキを含み得る。全ての金属の実施形態に関し、ロックウェル３０Ｔ硬さスケールでほぼＴ４の硬さを示すブリキまたはさらには無錫鋼（ＴＦＳ）材が好ましい（以下の表１の項目３を参照）が、Ｔ３およびＴ５の実施形態が特定の製品に有利である。好ましい軟質ブリキ材は、本王冠のオープナアセンブリを開封して引き裂くためにあまり力を必要としないが、依然として、容器の内容物に対して十分な密封性をもたらす。本開示のために、ブリキは、錫または錫合金を含む任意の材料を指し、それらから王冠は製作されてもよく、および必ずしも王冠が錫または錫合金から作製されることを意味しない。
【００２８】
上述の例示的なブリキ材など、全体的に金属で構成されている、開示される原理による王冠の代替例として、開示される原理に従って設計された王冠はまた、全体的に非金属材料で構成されても、またはそのような王冠の一部分が金属製でありかつ王冠の別の部分が非金属材料製である「ハイブリッド」王冠として構成されてもよい。そのようなハイブリッド王冠は、オープナアセンブリのリングプルが非金属材料製である状態で製造され得る。例えば、非金属製リングプルの取付部分は、オープナアセンブリの金属製プルタブにリベット留めされ得る。あるいは、リングプルの取付部分は、おそらく、以下で詳細に説明するように、プルタブがかかり（ｂａｒｂｓ）またはリングプルの一体的に形成された取付部分への取り付けを維持するための他の手段を有する状態で、金属製プルタブの一部分の周りに一体的に形成され得る。当然ながら、ハイブリッド王冠の他の実施形態はまた、以下でさらに詳細に説明するように、開示される原理に従って製造され得る。
【００２９】
非金属製およびハイブリッド王冠では、有利なプラスチックが王冠の複数の部分に選択され得る。例えば、熱成形されたプラスチックまたはフルオロポリマー複合材が用いられ得る。例示的なプラスチックまたは複合材は、ウレタン、ナイロン、レーヨン、アクリル、ポリスチレン、ポリエーテルイミド、アセタール、ポリエチレンおよびポリプロピレンのようなポリオレフィン、改質ポリオレフィン、改質エチレンコポリマー樹脂、エチレン酸コポリマー樹脂のアイオノマー、ポリエステル、アクリロニトリル−ブタジエン−スチレン（ＡＢＳ）、ポリカーボネート、および現存するかまたは後に開発されるかのいずれかの他のプラスチックを含み得、かつプラスチックまたは他の非金属のいずれかの２種以上の化合物が、開示される原理に従って製造された王冠の一部または全てを形成するために用いられ得る。さらに、そのようなプラスチックまたはプラスチック化合物は、炭素繊維、ガラス繊維、ケブラー（Ｋｅｖｌａｒ）（登録商標）または他の強化材などの他の材料で補強され得る。
【００３０】
プラスチック材料での作業は、一般に、自動瓶詰め機器によって構成要素を操作するときに金属材料と異なり、この機器は、密封する前に瓶の上側を覆ってキャップを位置決めするために鋼製キャップの磁気特性に依存することが多い。しかしながら、開示される原理は、鉄粉または磁気特性を有する他の材料などの金属粒子と混合されたかまたはそれが注入された熱可塑性樹脂である磁性樹脂を使用して、王冠を製造することによってこの課題を克服し得る。樹脂ベースは、一般に金属ベースの王冠の構成要素の１つ以上と置き換わるが、添加された金属は、そうでなければ樹脂またはプラスチック王冠の１つまたは複数の構成要素に磁気特性をもたらす。開示される原理による、開封することができる王冠の構成要素のいずれか１つまたは全てがそのような非金属材料から作製され得るが、これは、磁気特性が注入されているか否かに関わらないことに留意すべきである。そのようなものとして、王冠本体、オープナアセンブリのリングプル、オープナアセンブリのプルタブ、またはリベットもしくはオープナアセンブリを王冠本体の頂面に取り付けるために使用される他の取付装置の１つ以上が、以下でさらに詳細に説明するような、そのような例示的な非金属材料で作製され得る。金属粒子などの磁性材料が注入または他の方法で混合されない非金属製構成要素を用いる開示される原理の王冠では、王冠または王冠構成要素を操作するために磁気を用いる典型的な機器の代わりに、真空ベースの製造機器が用いられ得る。従って、開示される原理は、本開示に従って構成された完全に非金属製またはハイブリッドの王冠の両方に対する瓶詰めおよび製造の解決法を提供する。
【００３１】
本明細書で開示するような、完全に非金属製のまたはハイブリッドの王冠の製造は、同じまたは同様の設計の全て金属製の王冠を上回るいくつかの利点を提供し得る。例えば、樹脂プラスチックなどの非金属材料は、一般に、金属よりも安価であり、それにより製造コストを削減する。また、そのような非金属材料は、一般に金属よりも重量が軽く、従って、王冠の重量が削減され、これにより、重量は瓶詰め施設への王冠の出荷梱包などにおける要素であるため、コストを節約する。さらに、非金属製リングプルは、ユーザがリングプルを引っ張り、そのような王冠を引き裂いて取り除きやすくし得る。従って、本明細書で開示するいずれの王冠も、全て非金属材料、またはいくつかの金属製構成要素と非金属製構成要素との組み合わせのいずれかから製造され得る。
【００３２】
図５は、開示される原理による王冠１の代替実施形態の上面等角図を示し、および王冠は、ここでも、非金属製リングプル２および非金属製プルタブ３で構成された非金属製オープナアセンブリを含む。図５の王冠１は、非金属製オープナアセンブリにより、中心１５ａにおいて抜いてまたは割って開封された状態で示されている。非金属製プルタブ３は、リベット４によって王冠１に接続され、かつ手動力を加えることによって刻み線６ｄおよび６ｅに沿って裂けるような適所にある。１つ以上の円形の窪み１８が、リングプル２およびオープナ装置の残りの部分を載置させるための空間を王冠１の頂面１７に作り出している。
【００３３】
他の実施形態に関して説明したように、王冠１は、金属、非金属、または複合材を使用して製造され得る。同様に、リングプル２は、金属材料、非金属材料、または複合材料で構成され得る。王冠本体１およびリングプル２の両方に金属材料を使用することは、製造プロセスを単純化し得る。しかしながら、プラスチックからリングプル２を製造することにより、リングプルタブ王冠の総重量を削減しながら、より人間工学的な形態も可能にし、それにより、開封する最中の快適さおよび把持性を高め得る。いくつかの実施形態では、王冠１は、スチールブリキなどの金属材料で形成され、およびリベット４を使用してプラスチック製リングプル２に締結され得る。リングプル２を王冠１に接合するための様々な手段が以下でさらに詳細に説明される。しかしながら、開示される原理による王冠のこの図示の実施形態では、非金属製オープナアセンブリ（非金属製リングプル２および非金属製プルタブ３で構成される）は、金属製リベット４を使用して金属製王冠本体に取り付けられる。そのような非金属製オープナアセンブリは、例示的なリベットまたは以下で詳細に説明する他の技術のうちの１つを使用して、取付部分において王冠本体に取り付けられ得る。
【００３４】
図６は、図５の王冠１の代替実施形態の垂直断面図を示す。スカート部７は、頂面１７と隣接する肩部１９から下がっている。座部１８は、非金属製リングプル２および非金属製プルタブ３が王冠１の頂面１７と略同一平面になるような十分な深さである。そのような実施形態は、有利には、機械を一新するかまたは修理する必要なく、従来の瓶打栓機において使用するのに好適である。座部１８のさらなる利点は、座部１８が座部の周りに波形周囲を形成することであり、および波形は、波形の方向に対して略垂直な方向における曲げに対して、平らなシートを強化することがよく知られている。従って、座部１８は、王冠１を強化するという追加的な利点をもたらす。座部１８によってもたらされるような強化された王冠１のさらなる利点は、その厚さが標準的な王冠に使用されるようなものよりも小さいゲージ（薄い）の王冠材料へと低減され、従って材料の製造コストを低くし得ることである。図６は、王冠の周りでスカート部に２７個のアングルを有するように形成された本王冠１の実施形態を示すが、当業者には、座部１８の利点は、アングルの存在またはアングルの数に依存しないことが理解される。
【００３５】
図７は、図６の王冠１の代替実施形態の垂直断面図を示す。座部１８は、図６に示すものよりも浅いため、リングプル２は、王冠１の肩部１９よりもわずかにまたは部分的に上側に載置される。そのような実施形態は、手動で開封するために簡単にアクセス可能なリングプル２を有するという利点をもたらし得る。許容できる公差に応じて、そのような実施形態はまた、標準的な瓶打栓機と一緒に使用するのに好適であり得る。図７はまた、ライナー１２が好適な接着剤で王冠１の下面に装着されかつリベット４の底を覆うように配置されている代替実施形態である。
【００３６】
図７に示す王冠、リングプル２、プルタブ３、およびリベット４は、それぞれ前述したような金属、非金属、または複合材を使用して製造され得る。
図８は、図５の王冠１の代替実施形態の上面等角図である。ここで、王冠１は、刻み線６ｄの終端１６において壊して開封され、これにより、図５に示す開封された王冠の曲線的な縁ではなく、直線的なまたは尖頭的な終端を残す。リングプル２を用いてＳ字型カーブ６ｆに沿ってさらに引き裂くと、アングル７から容器（図示せず）を解放し、かつ容器から王冠１を引き離す。図５の王冠の実施形態のように、開示される原理による王冠のこの実施形態は、金属製リベット４を使用して金属製王冠本体に取り付けられた、非金属製リングプル２および非金属製プルタブ３で構成された非金属製オープナアセンブリを含む。そのような非金属製オープナアセンブリは、例示的なリベットまたは以下で詳細に説明する他の技術のうちの１つを使用して、取付部分において王冠本体に取り付けられ得る。しかしながら、また図５の王冠のように、王冠のこの実施形態は、王冠１、リングプル２、プルタブ、および／またはリベットを有してもよく、これらは、それぞれまたは全て前述のような金属、非金属、または複合材のいずれか１つまたは組み合わせを使用して製造される。
【００３７】
図９は、非金属製オープナアセンブリを使用する王冠１の開口部が部分的に完成しているにすぎない、図８の王冠１の代替実施形態の上面図である。この実施形態は、非金属製プルタブ３に印刷またはエンボス加工された湾曲矢印２０などの印刷物を追加的に提供して、一般的に、刻み線６を用いて王冠１を簡単に開封するためにどのようにリングプル２を引っ張るべきかを示している点で図８の実施形態と異なる。さらなる指示は、印刷された指示２１を備え、これは、この図示の例では、「リングプルを持ち上げて下に引き、取り除いてください」と読み得る。さらに、王冠１の残りの空いた領域２２に注意警告、広告、または任意の他の所望の情報が印刷され得る。図９に示す王冠、リングプル２、プルタブ３、およびリベットは、それぞれまたは全て前述のような金属、非金属、または複合材を使用して製造され得る。さらに、リングプル２が非金属製であり、およびプルタブが金属製である実施形態では、非金属製リングプル２は、以下で詳細に説明する例示的な技術のうちの１つを使用して金属製プルタブ３に接続され得る。リングプル２およびプルタブ３の両方が共に非金属製である実施形態では、この非金属製オープナアセンブリは、以下で詳細に説明する例示的な技術のうちの１つを使用して、取付部分において王冠本体に取り付けられ得る。
【００３８】
図１０Ａは、本開示の刻み線の実施形態の垂直断面図を示す。そのような刻み線は、全て金属製の王冠の実施形態、非金属製王冠の実施形態、またはハイブリッド王冠の実施形態に形成され得る。引裂溝を形成するために、刻み線６は、各製造者の工学的な選択に依存して、様々な横断面プロファイルのいずれか１つ以上を有するように機械加工され得る。例えば、図１０Ａは、正方形または長方形の横断面プロファイルを示す。本明細書で引裂溝、刻み線またはスコアリング配置構成に言及するとき、これらの用語は、オープナアセンブリによって開封されかつ容器から王冠を解放するために引き裂かれる、本開示の王冠の壊れやすい部分を説明するための様々な方法である。図１０Ｂは、図１０Ａの刻み線の代替実施形態の垂直断面図を示す。ここで、刻み線６のための湾曲した横断面プロファイルが示されている。図１０Ｃは、図１０Ａの刻み線の代替実施形態の垂直断面図を示す。刻み線６のためのＶ字形状の横断面プロファイルが示されている。
【００３９】
図１０Ｄ〜１０Ｆは、ここでは一緒に説明するが、それぞれ図１０Ａ〜１０Ｃの刻み線の側断面に対応し、違いは、図１Ａ〜１０Ｃの刻み線は王冠１の頂面に沿って刻み込まれているが、図１０Ｄ〜１０Ｆでは、刻み線は王冠１の裏面側に沿って刻み込まれていることである。刻み線が下面に刻み込まれている図１０Ｄ〜１０Ｆの実施形態の利点は、刻み線がユーザに見えないことであり、これにより王冠の外観の美しさを高める。追加的な代替実施形態は、図１０Ａ〜１０Ｃに示すように頂面１７、および図１０Ｄ〜１０Ｆに示すように裏面側の両方に刻み込まれた刻み線を提供する。図９に示す王冠およびリベットは、それぞれ前述したような金属、非金属、または複合材を使用して製造され得る。
【００４０】
図１１は、オープナアセンブリのプルタブのための取付部分の偏心位置を示している、本開示の王冠１の代替実施形態の概略上面図を示す。リベット４のための取付部分の偏心位置、およびオープナアセンブリの残りの部分を有する本王冠１の実施形態は、例えば、容器の縁の近くにオープナアセンブリを有することがよく知られているスープまたは豆などの缶詰用の容器などの非飲料用容器に有利である。引裂線６Ｃおよび６Ｈは、縁１６まで略直線的に王冠１の頂面１７を横切って延在する。従って、王冠１の頂面でのリベット孔もしくはリベット４または王冠１のオープナアセンブリの位置は、主に、工学的設計上の選択の主題である。偏心リベットの実施形態の王冠は、他の実施形態について本明細書で上述したように開封される。
【００４１】
図１２は、代替的な刻み線の配置を備える、図１１の王冠１の代替実施形態の概略上面図を示す。図１１の実施形態の刻み線６Ｇおよび６Ｈは、図１１とは対照的に、リベット４から直接スカート部７まで下がるが、前述の実施形態の線６と同様である。刻み線６Ｇは縁１６まで下がるが、線６Ｈは、反対方向に進んで、その長さに関して縁１６および頂面７から略等距離を維持する。刻み線６Ｈは、オープナアセンブリからスカート部７まで放射軸に沿って延在する上部放射状セグメントと、環状方向においてスカート部７に沿って円周方向に延在し、かつ上部放射状セグメントの終端から、スカート部７の底部環状縁１６から実質的に離間した端点まで延在する下部環状セグメントとを有するスコアリング線からなる。好ましくは、下部環状セグメントは、上述のスコアリング線６ｆのＳ字型カーブに画定されているものよりも長い水平面を画定し、例えばスカート部７の外周の約４分の１に延在する。開示される原理によれば、図１１および図１２に示す王冠および／またはオープナアセンブリは、それぞれ前述の通り金属、非金属、または複合材を使用して製造され得る。
【００４２】
図１３は、代替的な刻み線６Ｇを備える、図１１の王冠１の代替実施形態の概略上面図を示す。王冠１を破って開くための刻み線６Ｇは、頂面１７の周りをほとんど完全な円で囲み、端部においてのみスカート部７までかつ王冠の縁１６まで常に下がる。図１３の実施形態は、例えば、大きい開口によって内容物へ容易にアクセスできる、スープまたはシチューなどの飲料以外の製品のための容器で用いられるときに有利である。図１３に示す王冠およびリベットは、前述のような金属、非金属、または複合材を使用してそれぞれ製造され得る。
【００４３】
図１４は、スカート部にクリンプ加工アングルを有しない、本開示の王冠１の代替実施形態の概略等角図を示す。図１４の実施形態の王冠１は、果汁などのための圧力封止された王冠と同等であり、これは、クリンプ加工せずに容器の頂面の上側を覆って巻いている。実施形態はまた、医療用容器およびバイアルと一緒に使用するのに有利である。リベット４を備えるオープナアセンブリは、偏心しているが、そうでなければ前述の通り王冠１は開く。図１４に示す王冠１およびリベット４は、それぞれ前述したような金属、非金属、または複合材を使用して製造され得る。
【００４４】
図１５Ａは、本開示の王冠１の壊されていない刻み線６の概略断面図を示す。図１５Ｂは、図１５Ａの実施形態の壊された刻み線６の概略断面図を示す。本開示の王冠１の有利な安全特徴が刻み線６の製造において達成される。図１５Ａおよび図１５Ｂをまとめて説明すると、線６は、線６のいずれかの側にある半分が横断面プロファイルにおいて曲線的な縁６Ｍおよび６Ｎを有するように、王冠１に刻まれる。線６によって形成されたシールは、両手の指を一緒に押し付けることによって形成されたシールと類似し得る。各指先は湾曲しており、および２本の指が付けられるとシールが形成され得る。本オープナアセンブリを使用して王冠１を開封するときに図１５Ａの刻み線６が引き裂かれると、王冠１は、２つの縁６Ｍおよび６Ｎを形成し、これらの縁は、指を引き離すのに類似して湾曲しているかまたは丸みを帯びている。非尖頭的な縁６Ｍおよび６Ｎは、それぞれ壊れやすいスコアリング線６を壊すと形成される。
【００４５】
図１５Ａおよび図１５Ｂの刻み線６が有利である理由は、オープナアセンブリを用いて王冠１を破いて開封することによって生じる鋭利さを低減させることである。丸みを帯びた引裂縁６Ｍおよび６Ｎは、開封された王冠１を、そうでない場合よりも鋭利さからの危険性が劇的に少ないものにする。さらに刻み線６に関して、本開示の王冠１に考えられる１つのことは、オープナアセンブリによって開封されると、王冠１の材料が引き裂かれ得るのに支障がないことである。簡単に裂けることは、王冠材料を引き裂くために加える必要がある引張力の量に関する。引張力は、より簡単に裂けるようにする添加剤を含有する当技術分野で公知の王冠コーティングまたはラッカーを使用することにより、線６に沿った王冠１の材料の必要な引張力を減少させることによって減少され得、すなわち、より簡単に裂けるようになり得る。具体的な実施形態はまた、王冠の裏面側に取り付けられたライナーに分解可能なプラスチック添加剤を含み、使用済みの王冠が廃棄物として破棄された後、ライナーの生物学的分解を促し得る。様々な市販の生物学的に分解可能なプラスチック添加剤が当技術分野において知られており、および１種以上のそのような添加剤の選択は設計上の選択の問題である。
【００４６】
本明細書で説明する様々な構造に加えて、従来技術を上回るいくつかの利点が、表１に示す推奨される仕様によって本王冠に与えられる。しかしながら、これらの仕様は本質的に例示であり、およびそれぞれの適用例に基づく変形形態が用いられ得る。
【００４７】
【表１】
2018502791.tif 000003
2018502791.tif 000004
金属製王冠本体を有するそのような実施形態では、本開示のリングプルのための引張力は、約２．５ｋｇ（キログラム）以下であることが好ましい（表１の項目１１参照）。略全ての人が、本開示の王冠を使用する瓶を開封するための十分な強さを有するようになるため、このような比較的小さい引張力が推奨される。対照的に、比較的大きい引張力は、ブリキ材を引き裂くために初期の力の量が大きい必要があり、および王冠本体材料が破れて開封されると、引張力が突然解放されることにより、瓶がユーザから急に離れて、しばしば内容物を酷くこぼすという欠点を有する。
【００４８】
低硬度のブリキに加えて、王冠の薄さまたはゲージはまた、小さい引張力を達成するのに寄与し得る。例えば、本発明の王冠は、０．２８ｍｍ未満の厚さを有することが推奨される（表１の項目２参照）。典型的な瓶の王冠の厚さは０．２８ｍｍ以上である。載置された実施形態におけるような王冠材料が波形によって強化される実施形態では、標準的な王冠よりも薄くして、例えば、約０．１６ｍｍまたはさらには０．１２ｍｍ程度の薄さのゲージを有することができる。
【００４９】
本明細書において上述した実施形態の全てに加えて、追加的な特徴は、工学的設計上のまたはマーケティング的な選択の問題として、実施形態のそれぞれと一緒に使用するのに好適であり、これは、温度感受性の色が変化するインク、例えば、カーバリド（Ｃａｒｂａｌｌｉｄｏ）への米国特許第６，６３４，５１６号明細書（その全体を本願明細書に援用する）に説明されているようないわゆる示温インクを用いることである。そのような示温インクは、室温（約２１℃）ではある色であり、例えば４℃という標準的な小売店の冷蔵温度まで冷蔵されるときには異なる色となるように、色が変化する特性を有する。例示的な適用例では、インクは、例えば、室温では透明であるが、冷却温度では比較的不透明でありかつ見えるようになり、顧客が、容器に触ることなく、適切な温度であることを視覚的に確認できるようにする。
【００５０】
ここで図面に戻ると、本開示は、オープナアセンブリの配置に関する刻み線の配置構成に関して様々な例示的な代替実施形態を考慮する。図１６〜１９は、オープナアセンブリが王冠の頂面の略中心に配置されている、本開示の王冠の例示的な実施形態の上面図の概略図である。図２０〜２３は、オープナアセンブリが王冠の頂面から偏心して配置されている、本開示の王冠の例示的な実施形態の上面図の概略図である。図１６〜２３に示す王冠は、前述したような金属、非金属、または複合材を使用して製造され得る。
【００５１】
図１６を参照して説明すると、オープナアセンブリ配置部分は、円１１０で示されている。ディンプル１１５Ａおよび１１５Ｂが、円１１０に対して、円１１０の下側に画定された位置に配置されている。壊れやすい刻み線１２２Ａ、１２４Ａ、１２６Ａおよび１２２Ｂ、１２４Ｂ、１２６Ｂは、オープナアセンブリ配置部分１１０に近接したそれぞれ頂点１２０Ａ／Ｂから放射状に延びて、壊れやすいスコアリング線の配置構成をもたらす。頂点１２０Ａ／Ｂは、エンボス加工されたディンプル１１５Ａ／Ｂと実質的に共線的である。特定の工学的設計上の選択に依存して、本明細書で説明するディンプル１１５Ａ／Ｂは、具体的な実施形態において凹状または凸状である。
【００５２】
図１７は、代替実施形態であり、ここで、刻み線の頂点１２０Ａ／Ｂは、ディンプル１１５Ａ／Ｂより上側にあるものとして画定された位置にあり、およびディンプル１１５Ａ／Ｂによって形成された仮想線と略平行である。後部刻み線２２８は、ほぼディンプル１１５Ａ／Ｂの間から、王冠の環状スカート部までは延在しない終端まで延在する。
【００５３】
図１８は、別の代替実施形態を示し、ここで、刻み線の頂点３２０Ａは、オープナアセンブリ１１０の第１の側にあるものとして画定された位置にあり、および刻み線の頂点３２０Ｂは、頂点３２０Ａの実質的に反対側にあるオープナアセンブリ１１０の第２の側にあるものとして画定される位置にある。刻み線３３０は、頂点３２０Ａから３２０Ｂまで、およびオープナアセンブリ１１０とディンプル１１５Ａ／Ｂとの間に円弧で延在する。図１９は、図１８の代替実施形態を示し、後部刻み線２２８をさらに提供する。
【００５４】
図１８および図１９に示す特徴は、リベットを用いずにおよびリベットを用いてオープナアセンブリが王冠１に取り付けられている本発明の実施形態において、特に有用性があることが分かる。王冠１の上部の内側面の中心において、図面で中心円によって表わされる隆起は、王冠が作製される材料を上方に押圧することによって形成される。隆起を取り囲む円弧状の刻み目３３０は、王冠１の上部の内側面に形成され、および円弧状の刻み目の両端部は、それぞれ王冠本体の片側に延在して、直線の見えない刻み目へと移行し、それにより、瓶から王冠を取り外すことができるようにする。リングプル２は、その中心部分に向かってレバータブ３と一体的に形成され、レバータブは、その自由端部にリベット孔を備え、これは、本体に入れ子にされ、および王冠本体およびリングプルは、王冠本体の一部である隆起によって一緒にリベット留めされる。従って、この配置構成は、瓶内の瓶詰めされた内容物、そうでなければ隆起の汚染を防止し、およびリングプルは、隆起によって王冠本体にリベット留めされる。互いに対応する２つの凹形の円弧状のディンプルは、レバータブ間の接続部分の両側面にそれぞれ形成され、および少しでも緩むことにより、従って密封状態が損傷されることにより発生する。このようにして、内容物は、安全でありかつ衛生的であることが保証される。
【００５５】
ここで、本出願人らは、図１６〜１９に関して上述したものに対応する様々な刻み線を備える、偏心プルタブアセンブリ位置を有する実施形態を参照して説明する。リベット４のための偏心位置、およびオープナアセンブリの残りの部分を有する本王冠１の実施形態は、例えば、容器の縁の近くにオープナアセンブリを有することがよく知られたスープまたは豆の缶詰用の容器のような非飲料用容器に有利である。発散する引裂線は、縁１６に対して略直線的に王冠１の頂面を横切る。従って、リベット孔もしくはリベット４の位置または王冠１の頂面上の王冠１のオープナアセンブリの位置は、主に、工学的設計上の選択の問題である。偏心リベットの実施形態の王冠は、他の実施形態について本明細書で上述したように開封される。
【００５６】
図２０は、偏心オープナアセンブリ位置を有する、図１６の王冠１の代替実施形態である。図２１は、偏心オープナアセンブリ位置を有する、図１７の王冠１の代替実施形態である。図２２は、偏心オープナアセンブリ位置を有する、図１８の王冠１の代替実施形態である。図２３は、偏心オープナアセンブリ位置を有する、図１９の王冠１の代替実施形態である。図２１および図２３では、後部刻み線２２９（２２８に対応する）は、環状スカート部内に延在するが、王冠の縁の前で終端する。スコアリング線の終端は、意図した容器の内容物の性質または他の要因に依存して製造前に予め決められている。
【００５７】
図２４は、王冠１の頂面に偏心位置で装着された、リベット４、リングプル２およびプルタブ３からなるオープナアセンブリを有する、本開示の王冠１の上面図を示す。図２４に示す王冠１、リングプル２、プルタブ３、およびリベット４は、それぞれ前述したような金属、非金属、または複合材を使用して製造され得る。この図示の実施形態では、リングプル２およびプルタブ３を含むオープナアセンブリは非金属製であるが、リベット４および王冠本体１は金属製である。
【００５８】
図２５Ａは、本開示の王冠の例示的な実施形態の上面図を示す一方、図２５Ｂ〜２５Ｄは、図２５Ａの王冠の裏面側に取り付けられた王冠ライナーまたはガスケットシールの例示的な代替実施形態の、図２５Ａの線Ｂ−Ｂに沿って取った側断面プロファイルを示す。図２５Ｂは、実質的に四角くされたプロファイルを有するライナーを示す。ライナーは、合成コルク材料、例えば、ネプロ（Ｎｅｐｒｏ）などから製作され得る。図２５Ｃは、略アーチ状のプロファイルを有するライナーを示す。図２５Ｄは、実質的にＶ字形状のプロファイルを有するライナーを示し、Ｖ字形状の頂点にわずかに丸みが付けられている。王冠ライナーは、王冠の気密シールを増強し得る。気密シールは、所望のプロファイルを有するライナーの選択によってさらに増強され得る。例えば、図２５Ｂ〜Ｄに示すライナーのプロファイルは、ビールまたはソーダの瓶が有するよりも大きい直径の開口部を有する傾向があり、かつ内容物がビールまたはソーダよりも長い貯蔵寿命を必要とするワインおよびシャンパンの瓶の密封に特に効果的であり得る。図２５Ａ〜２５Ｄに示す王冠、リングプル、プルタブ、およびリベットは、それぞれ前述したような金属、非金属、または複合材を使用して製造され得る。
【００５９】
図２６は、非金属製オープナアセンブリを有する、図１のキャップの代替実施形態の上面等角図である。オープナアセンブリは、リングプル２と、プルタブ３と、アセンブリを王冠１に取り付けるためのリベットなどの取付手段とを有する。刻み線のさらに別の代替実施形態では、刻み線６ｅは、キャップ１の頂面３１０の下側へと下がり、および肩部３１６に沿って湾曲して刻み線６ｅを形成し、これが頂面３１０および縁７から略等距離で側面３２０に沿って横切っている。
【００６０】
図２７は、部分的に開封された、図２６のキャップの代替実施形態の上面等角図である。プルタブリング２は、指をリングに嵌めるように持ち上げることができるように、少なくとも部分的に変形可能であることを示す。リングプル２を引くことにより、壊れやすいキャップ１が刻み線６ｄ、６ｅに沿って破れて開き、およびプルタブ３の真下に開口部１５ａを生じる。特定の例示的な実施形態は、王冠１に凹状の窪み１８が設けられてオープナアセンブリを収納し、開封されていない位置で、リングプル２がキャップ１の頂面と略同一平面になるようにする。刻み線６ｄは、終端１６ａにおいて直線で終端する。壊れやすいキャップ１は、刻み線６ｄにおいて割って開封されるが、部分５２０は、接合部５１０において王冠１に枢動式に取り付けられたままである。図２７の実施形態では、終端１６ａは、略直角の点を形成する。
【００６１】
図２８は、図２６および図２７の王冠の別の代替実施形態の上面等角図を示す。この実施形態は、同様に非金属製オープナアセンブリを含み、および偏心取付点においてリベット４によってキャップ１に取り付けられている。刻み線７０６ａ、７０６ｂは、取付位置から王冠１の側面まで延在せず、その代わりに、王冠１の側壁に到達する前に王冠１の肩部で終端する。シーム７１０がオープナアセンブリの周りでキャップ１の外周を囲み、カバー７５０を形成する。図示の通り、非金属製オープナアセンブリは、タブ部分７２０により、キャップ１の残りの部分から離れるようにカバー７５０を持ち上げ、開口部を生じる。カバー７５０は、オープナアセンブリを開封すると露出される膜７４０を保護する。露出した膜７４０は、例えば、容器が医療用バイアルである場合、シリンジによってアクセスするために使用され得る。
【００６２】
図２９は、非金属製の栓を含む非金属製オープナアセンブリを有する王冠の代替実施形態の上面等角図を示す。王冠１のこの実施形態では、リングプル２は、他の実施形態に関して上述したように非金属製である。しかしながら、図２９の実施形態では、非金属製リングプル２は、他の実施形態において上述したプルタブ３として機能するフラップヒンジ１７２に取り付けられる。本明細書で説明する他の実施形態のように、非金属製リングプル２は、様々な技術を使用して金属製フラップヒンジに取り付けられ得る。それらの技術を以下で詳細に説明する。あるいは、フラップヒンジはまた、非金属製としてもよく、およびそれらは、リングプル２と一体化されてもよく、または２種類の非金属材料を接続するのに十分な手段を使用して非金属製リングプル２に取り付けられてもよい。そのような実施形態では、非金属製フラップヒンジ１７２は、接着剤または他の手段を使用して王冠１の肩部３１６に取り付けられ得る。
【００６３】
さらに、リングプル２は、栓１７４に取り付けられ、栓は、上部および底部１７６を有する。栓１７４の上部および底部１７６は、環状の収容溝１８２を形成する。リングプル２は溝１８２に密接に嵌るため、リングプル２が上方に引かれると、栓１７４が王冠１の頂面から解放され、フラップヒンジ１７２で枢動し、王冠１が取り付けられている容器を開封する。リングプル２、栓１７４およびフラップヒンジ１７２は、王冠１のこの実施形態のためのオープナアセンブリを形成する。
【００６４】
リングプル２の動作を容易にするために、人の指の爪を収容するように、王冠１の上部の前部の部分は凹まされるかまたは窪まされる。この窪んだ部分は、指の爪でリングプル２にアクセスして、オープナアセンブリを動作するのを容易にする。図２７および図２８のオープナアセンブリの代替実施形態は、リングプル２と一体的な栓１７４を提供する。そのような適用例だけのために設計されていないが、非金属製オープナアセンブリを有する王冠のこの実施形態は、使い捨ての医療用バイアルに特に有用である。刻み目を付けられたガラスバイアルは、一般的な慣習では使い捨て用であるが、粉々になって裂傷の原因となる固有のリスクがある。本キャップは、そのようなリスクを実質的に低減させる。
【００６５】
図３０は、本開示のリベット１００の一実施形態の斜視図および側面図を示す。リベット１００は円形ヘッド１０３で構成され、その中心にシリンダー状ポスト１０１が接合されている。ヘッド１０３の底部側は、その周囲において１つ以上の係合特徴１０２によって囲まれるリベット１００の係合面を提供し、係合特徴は、プルタブを介して王冠本体の取付部分にオープナアセンブリが取り付けられるときに、本明細書で開示するタイプのオープナアセンブリのプルタブとのリベット１００の係合を強めるために使用される。リベット１００が、オープナアセンブリのプルタブなどの収容アイテムの上側で圧縮されると、この実施形態では歯１０２である係合特徴１０２が、収容アイテムの材料に食い込んで、ヘッド１０３の底部側および収容アイテムの平行面に関して有効摩擦係数を増加させる。リベット１００は、金属材料、非金属材料、複合材料、またはそのような材料の１種以上を使用して形成され得る。いくつかの好ましい実施形態では、金属製リベットを使用して、プラスチック製プルタブを金属製王冠本体の表面に固定し得る。ユーザがリングプルを引っ張り、次に引張力をプルタブに伝えることによってオープナアセンブリが使用されるときに、非金属（例えば、プラスチック）製プルタブへ係合特徴によってもたらされた追加的な係合力は、リベット１００が通過するプルタブにある孔が望ましくなく伸張することを防止するのを支援する。従って、係合特徴１０２がなければ、非金属製プルタブは、オープナアセンブリに加わる開封力によって伸張され、それにより、王冠が割って開封されて容器から除去される前にアセンブリが王冠本体から滑り落ちることとなり得る。また、図３０に示す係合特徴１０２の数および形状は、例示としてのみ提供されていることに留意すべきである。係合特徴の正確な数または形状は、現在入手可能なリベットと比較して、さらに摩擦力を増大させながら変わってもよい。
【００６６】
図３１は、図３０に示す本開示のリベット１００の実施形態のヘッド１０３の底部係合面を示す斜視図および側面図を示す。前述と同様に、リベット１００は円形ヘッド１０３で構成され、その中心にシリンダー状ポスト１０１が接合されている。図３１に示すように、ヘッド１０３の底部係合面は、その周囲において、係合特徴として１つ以上の半球形状の歯１０２によって囲まれている。
【００６７】
図３２は、開示される原理に従って設計および構成されたリベット３００、３２０、３４０の３つの代替実施形態の側面図を示す。これらのリベット３００、３２０、３４０のそれぞれは、円形ヘッド３０３、３２３、３４３で構成され、その中心にシリンダー状ポスト３０１、３２１、３４１が接合している。ヘッド３０３の底部側は、ここでも、その周囲において１つ以上の非金属（例えば、ゴム）製の係合特徴または歯３０２によって取り囲まれる係合面を提供し、係合特徴は、オープナアセンブリが王冠本体に取り付けられるときに、プルタブとの係合を強めるために使用され得る。図３１のリベット１００と同様に、歯３０２は、半球のような形状であり得る。あるいは、リベット３２０、３４０の他の２つの図示の実施形態における歯（３２２、３４２）は、円錐形の歯３２２または楕円形の歯３４２など、他の形態または形状を取ってもよい。これらの例示的な実施形態のいずれかでは、歯３０２、３２２、３４２は、リベットヘッド３０３、３２３、３４３に対向する、それらそれぞれのリベット３００、３２０、３４０の係合面から延在する。
【００６８】
また、開示される原理によるリベットのそのようないずれかの例示的な実施形態では、係合面は、リベットヘッドの底部係合面に沿って、図示するものと異なる数の歯を含み得ることに留意すべきである。概して、歯は、リベットヘッドの縁に沿って一定の間隔で形成され得る。しかしながら、そのような配置構成は必須ではない。歯を円形パターンに配置することにより、本明細書で開示するようなリベットは、プルタブおよび王冠本体に締結されるときに、摩擦性能に実質的に影響を及ぼさずに、リベットヘッドの平面に沿っていずれかの方向に向けられ得る。また前述と同様に、いずれかのそのような実施形態の歯は、必要に応じて金属製としてもまたは非金属製としてもよい。
【００６９】
図３３は、単に説明を明瞭にするために中心ポストを備えずに示される、開示される原理によるリベット８００の代替実施形態の底面図を示す。リベットヘッド８０４は、係合特徴として複数のリッジ様の歯８０２を含み、およびこれらは、ヘッド８０４の底部係合面に形成されている。図示の通り、各リッジ様の歯８０２は、細長くされ、かつリベットヘッド８０４の半径セグメントに沿って位置合わせされ、そこで各半径セグメントは１８度の角度だけ分離されている。歯８０２は、等しいサイズにされ、および円形リベットヘッド８０４の半径よりも短くされて、歯８０２の先端部がリベットヘッド８０４の中心の周りで同心の円を形成するようにし得る。横断面では、歯８０２は、リベットヘッド８００の摩擦係数を増大させるために、円形、三角形、長方形、楕円形、または別の好適な多角形であり得る。代替実施形態では、リベットの歯８０２は、互い違いにされても、または円形のシェブロンなどの他のパターンを形成するように位置合わせされてもよく、かつまた金属または非金属材料のものであり得る。
【００７０】
図３４は、開示される原理によるリベット９００の代替実施形態の斜視底面図を示す。リベット９００は円形ヘッド９０３で構成され、その中心にシリンダー状ポスト９０１が接合している。ヘッド９０３の底部係合面は、その周囲において、係合特徴としての１つ以上の傾斜した歯９０２によって囲まれており、係合特徴は、プルタブが本明細書で開示するように王冠本体に取り付けられるときに、プルタブとの係合を強めるために使用され得る。図３４に示すように、歯９０２は、重なり合う鋸歯パターンで構成されてもよく、ここで、各歯は、上昇縁９０８および下降縁９０７を有し、横断面で見るときに鋸歯パターンの山および谷を形成する。さらに、そのような各歯は、図示の通り、リベット９００のヘッド９０３の半径と同一の広がりを持って延在する端部を有しても、または歯は、長さが短くてもよい。また、各歯は、リベットがプルタブを王冠本体に取り付けるときに、摩擦量を増加させるのに十分な所望の厚さ９０５で設けられてもよく、これは、例えば、リベットがそのような取り付けで圧縮されるときに、係合面上でのリベット９００の十分な圧縮に抵抗するような十分な厚さであることによる。
【００７１】
図３５は、開示される原理によるリベット１０００のさらに別の代替実施形態の斜視底面図を示す。リベット１０００は円形ヘッド１００３で構成され、前述と同様に、その中心にシリンダー状ポスト１００１が接合している。ヘッド１００３の底部側は、その周囲において、１つ以上の係合特徴１００２によって取り囲まれ、係合特徴は、上述の通り、プルタブが王冠本体に取り付けられるときに、プルタブとの係合を強めるために使用され得る。図３５に示すように、係合特徴１００２は細い楔様の部分で構成され、これらの部分は互い違いにされて、円形リベットヘッド１００３の半径に対して平行なリッジ１００４および溝１００５を交互に形成し得る。そのような係合特徴１００２の摩擦性能は、リッジ１００４および溝１００５のパターンを、ある角度で溝１００５の基端部に交わる平滑面１００６によって中断することによって高められ得る。その際、リッジ１００４の基端部は、面１００６から突出して係合特徴を生じる。
【００７２】
図３６は、開示される原理による王冠の代替実施形態の垂直断面図を示し、ここで、金属製または非金属製であり得るオープナアセンブリのプルタブが、リベットを用いずに王冠１に取り付けられている。リベットの代わりに、隆起５４２が、例えば、裏面側から王冠材料を押し上げて頂面１７に凹形状を生じることにより、王冠１の頂面１７に一体的に形成される。本明細書で開示した他の実施形態におけるように、リングプル２は、プルタブ３を使用して隆起５４２に取り付けられる。その後、隆起５４２は、さらに、平坦にされかつ隆起５４２の頂面に広がるように付形され、略平面的な頂面５４４を形成して、オープナアセンブリが隆起５４２に取り付けられるようにする。一体的な頂面５４４を形成するために隆起５４２を広げることによってオーバーハングまたはリップ５４６を生じ、これにより、リベットを使用せずに、オープナアセンブリのプルタブを隆起５４２に固定する。
【００７３】
図３７は、図３６の王冠の代替実施形態の垂直断面図を示す。図３６では、隆起５４２は、王冠１の頂面１７の略中心１０に配置される。しかしながら、図３７では、隆起５４２は、王冠１の頂面１７に偏心して配置される（位置１０ａ）。他の点では、図３６で上述したリベットレス取付手段の説明は同じである。しかしながら、明瞭にするために、図３７ではリングプル２は図示しないことに留意されたい。
【００７４】
図３６および図３７の実施形態の両方において、王冠の上部は金属製であり、従って隆起５４２も金属で形成される。しかしながら、開示される原理によれば、リングプル２、またはリングプル２およびプルタブ３の両方は、非金属で形成され得る。プルタブ３が金属製のままである実施形態では、金属製隆起５４２は、上述のように圧縮されるとプルタブ３を十分に確実に保持し得る。従って、さらには非金属製リングプル２がこのように王冠に固定され得、および非金属製リングプル２は、以下で詳細に説明する技術のいずれかを使用して金属製プルタブ３に接続され得る。しかしながら、プルタブ３も非金属製であり、非金属製リングプル２と一体的に形成されるか、または接着剤もしくは以下で説明する機械的な技術によってそれに取り付けられる実施形態では、隆起５４２の軸は、図４５Ａ〜４５Ｃを参照して以下で詳細に説明するタイプの係合特徴を含み得る。そのような技術は、以下で詳細に説明される。あるいは、非金属製プルタブ３はまた、金属製グロメットを含み得るため、図４４を参照して以下で説明するように隆起５４２に取り付けられ得る。
【００７５】
図３８Ａは、開示される原理に従って構成されたオープナアセンブリの代替実施形態の斜視図を示す。オープナアセンブリは、金属、非金属、または複合材料から形成され得る。図３８Ａに示すように、オープナアセンブリは、プルタブ３に一体的に接続されたリングプル２で構成される。プルタブ３は、プルタブ３に一体的に形成された１つ以上のリベット４を含み得る。図３８Ａは、２つのそのような一体的に形成されたリベット（４ａ、４ｂ）を有する一実施形態を示す。しかしながら、他の実施形態は、単一のリベットのみまたは３つ以上のリベットのいずれかを特徴であり得る。リベット４ａおよび４ｂは、より大きいヘッドに接続されたポストを含み、ポストは、図面ではプルタブ３の下側に隠線で示されている。リベットポストは、オープナアセンブリが取り付けられる王冠本体の取付部分にある対応するリベット孔と略同じ直径を有する。他方では、そのような各リベットのヘッドは、リベットが通される対応するリベット孔よりも全体的に直径方向に幅広である。いくつかのヘッドは、一方では半球形、円錐形、または他の好適な形状であり得るが、他方では平坦またはかかりを付けられ、単一の方向おいてのみ取付を容易にする。そのようなヘッドがリベット孔を通過すると、取付部分に受け入れられたポストは平坦にされ、それにより王冠本体にリベット留めされて、王冠からのプルタブの係合解除に抵抗するようにするため、オープナアセンブリは、割れて開いて容器から王冠を取り除くように用いられ得る。
【００７６】
また、リベット４ａ、４ｂは、同じ材料で形成されていることにより、プルタブ３と一体的に形成され得る。例えば、そのような実施形態では、リングプル２、プルタブ３、およびリベット４ａ、４ｂは、同じ非金属材料で形成される。そのような実施形態では、非金属製リベットポストは、王冠本体と係合すると加熱／リフロー接合され得るため、リベットポストは、プルタブ３を王冠本体にリベット留めするように平坦にされ得る。他の実施形態では、リベット４ａ、４ｂは金属材料で形成され得るが、リングプル２およびプルタブ３は非金属製である。そのような実施形態では、プラスチックまたは他の樹脂材料などの非金属材料は、金属製リベット４ａ、４ｂの周りに形成されるため、それらは適所に保持され、かつプルタブ３と一体的である。そのようなリベット４ａ、４ｂのより大きいヘッドは、非金属製プルタブ３がリベット４ａ、４ｂの周りに形成されると、リベット４ａ、４ｂを適所に保持するのを支援する。その後、そのような金属製リベット４ａ、４ｂのポストは、取付部分において王冠本体に挿入されて、その後、オープナアセンブリを王冠本体に取り付けるように、金属製リベットが圧縮される従来の方法で圧縮され得る。
【００７７】
図３８Ｂは、図３８Ａのオープナアセンブリの代替実施形態の斜視図を示す。図３８Ｂの実施形態では、プルタブ３には単一のリベット４ｃのみが備えられている。しかしながら、図３８Ａの２つのリベットの実施形態のように、単一のリベット４ｃは、プルタブ３と一体的に形成される。また、前述と同様に、単一のリベット４ｃはまた、非金属製プルタブ３によって包み込まれた金属で作製され得るか、またはプルタブ３を形成するのと同じ非金属材料で形成され得る。また前述と同様に、そのため、単一のリベット４ｃは、金属製であろうとまたは非金属製であろうと、容器から王冠を取り外すように動作されるときに、王冠を割って開封するのに使用するためのオープナアセンブリを王冠本体に取り付けるために、取付部分において王冠本体を係合させ得る。
【００７８】
本明細書で記載した実施形態の説明は、様々な実施形態の構造の一般的な理解をもたらすためのものであり、本明細書で説明する構造を利用し得る装置およびシステムの要素および特徴の全てを完全に説明する役割を果たすことを意図していない。上記の説明を検討すれば、多くの他の実施形態が当業者に明らかである。他の実施形態は、構造的な、材料の、および論理的な置き換えおよび変更が本開示の範囲から逸脱せずに行われ得るように、それから用いられかつ引き出され得る。図面は代表的なものにすぎず、および縮尺通りではないことがあり得る。そのいくつかの割合は誇張され得るが、他のものは縮小され得る。従って、本明細書および図面は、限定ではなく説明であるとみなされる。
【００７９】
図３９は、開示される原理によるオープナアセンブリを有する王冠１の代替実施形態の上面等角図を示す。図３８Ａおよび図３８Ｂに示すものと同様のオープナアセンブリが王冠本体に取り付けられて示されている。いくつかの好ましい実施形態では、オープナアセンブリは、プラスチックなどの非金属材料から形成され、およびスチールブリキなどの材料から形成される金属製王冠に締結される。金属製リングの代わりにプラスチック製リングプル２およびプルタブ３で置き換えることによって材料コスト、製品重量を削減し、かつより快適な把持面を提供する。オープナアセンブリのこの図示の実施形態は、図３８Ａおよび図３８Ｂを参照して説明したリベットなどの１つ以上の一体型リベットを含み得る。この図示の実施形態では、１つまたは複数のリベットは、ここでも、プルタブ３と一体的に形成され、およびここでも、プルタブ３は非金属製であるものの、金属製であり得るか、または非金属製プルタブ３と一体的に形成された非金属製であり得る。しかしながら、図３９の実施形態では、１つまたは複数のリベットのヘッドはオープナアセンブリの頂面から見えない。
【００８０】
図４０は、図３９の王冠の代替実施形態の側面図を示す。オープナアセンブリの１つ以上のリベット４は、王冠本体１の取付部分１５としてリベット孔に係合し、オープナアセンブリを王冠本体の頂面に固定する。オープナアセンブリが王冠本体から引き離されるのを防止するリベットヘッドは、王冠１の裏面側において、ライナー１１によって覆われており、王冠１が瓶または他の好適な容器に取り付けられているときの気密シールを促す。さらに、オープナアセンブリは、座部１８において王冠本体の肩部１７の下側へ凹んでおり、王冠の全高を低くして、依然として従来の瓶詰め機器を使用して取り付けられるようにし得る。あるいは、オープナアセンブリは、肩部１７の下側へ凹まされることなく、王冠本体の面に載置し得る。
【００８１】
図４１Ａは、図３９の王冠の代替実施形態の上面等角図を示す。この実施形態では、オープナアセンブリは、リングプル２および短いタブ部分３を有し、タブ部分は、王冠本体の偏心取付部分に偏心舌部分を備えて、王冠本体にリベット留めされ得る。このオープナアセンブリのタブ部分３は、その裏面側に一体的に形成された単一のリベット４を有する。しかしながら、２つ以上のリベットも上述の通りに用いられてよい。この実施形態では、一体型リベット４は、同様に、オープナアセンブリが非金属製である実施形態では非金属製としてもよく、およびさらには同じ材料としてもよい。リベット４が金属製でありかつオープナアセンブリが非金属製である実施形態では、金属製リベット４は、金属製リベットの周りに非金属製プルタブを形成し、それを適所に保持することにより、オープナアセンブリと一体的であり得る。この実施形態において、リベットが圧縮されるかまたは他の方法で取り付けられると（例えば、非金属製リベット用のリフロー接合）、オープナアセンブリは上述の通り動作するが、刻み線に沿って王冠を引き裂くときに、オープナアセンブリが偏心取り付けされていることに起因して、てこの作用が加わる。図４１Ｂは、図４１Ａのオープナアセンブリと同様の実施形態を示すが、王冠本体とのさらなる係合／取付点を提供するために２つのリベットを有する。さらに、さらなる代替実施形態では（図示せず）、１つまたは複数のリベット４は、１つまたは複数のリベット孔によって置き換えられ、かつ上述したような非一体型の１つまたは複数のリベットを使用して王冠本体に取り付けられ得る。
【００８２】
図４２は、本開示の一実施形態による金属製および非金属製オープナアセンブリの上面図を示す。この実施形態では、オープナアセンブリは、プラスチックまたは複合材などの非金属製リングプル２を有し、これは、金属製プルタブ３の周りに形成される。いくつかの非金属製オープナアセンブリを用いて、リングプルに加えられた引張力によって非金属製プルタブのリベット孔を伸張させて、王冠本体の舌部分を意図した通り開封することなく、オープナアセンブリを、取り付けられた王冠本体から引き離し得る。従って、金属製プルタブ３は、そのような適用例に使用されて、オープナアセンブリを王冠本体に固定する金属製リベットによるオープナアセンブリの係合を改善し得る。金属製プルタブ３を非金属製リングプル２内に確実に保持するために、かかり６０または孔７０、またはさらには金属製プルタブ３を非金属製リングプル２に係合する両構造的手段の組み合わせなどの１つ以上の補強機構を使用して、金属製プルタブ３は非金属製リングプル２に埋め込まれ、その孔を通って、金属製プルタブ３を係合させるために延在するリングプル２の材料が配置され得る。
【００８３】
図４３Ａは、開示される原理によるオープナアセンブリの別の実施形態の上面図を示し、および様々な固定手段のいずれかによって非金属製リングプル２の範囲内に固定された金属製プルタブ３を含む。図４３Ｂ〜４３Ｅは、線Ａ−Ａに沿って取った図４３Ａのオープナアセンブリの断面図を示し、それぞれ金属製プルタブ３を非金属製リングプル２の範囲内に固定するために用いられる金属製プルタブ３上の例示的な係合特徴を示す。図４３Ｂは、金属製プルタブ３の上面および下面のそれぞれにおいて、垂直方向に延在する１つ以上のかかりを用いて、金属製プルタブ３を非金属製リングプル２内に固定する係合特徴を示す。図４３Ｃは、金属製プルタブ３の上面および下面のそれぞれにおいて、水平方向に延在する１つ以上のかかりを用いて、金属製プルタブ３を非金属製リングプル２内に固定する係合特徴を示す。図４３Ｄは、金属製プルタブ３の上面および下面のそれぞれにおいて、１つ以上の垂直方向に延在する水平方向の段を用いて、金属製プルタブ３を非金属製リングプル２の範囲内に固定する係合特徴を示す。図４３Ｅは、金属製プルタブ３の後端の対応する１つまたは複数の孔内に固定される非金属製リングプル２の下面に、１つ以上の垂直方向に延在するリベットを用いる係合特徴を示す。当然ながら、他の構造的特徴は、開示される原理に従って金属製プルタブ３を非金属製リングプル２に固定するために使用される係合特徴として用いられ得るが、依然として本開示の範囲内にある。
【００８４】
図４４は、プルタブ３において金属製グロメット５０で補強された非金属製リングプル２およびプルタブ３の上面等角図を示す。金属製グロメット５０は、トロイダル構造の内面に近似し得るか、または単にシリンダー状セクションによって接続された２つの実質的な平面で構成され得る。オープナアセンブリのそのような実施形態では、金属製グロメット５０は、オープナアセンブリを王冠本体に接合するために使用される金属製リベットとインターフェースを取るために使用される。金属製グロメット５０を備えるオープナアセンブリを形成することにより、プルタブ孔の伸張に起因して王冠本体からオープナアセンブリが引き離されるリスクが減少され得るかまたはなくなり得る。図４４Ａおよび図４４Ｂは、そのような金属製グロメット５０のそれぞれ上面等角図および側面図を示し、およびこの実施形態では、トロイドの内面に近似する形状を有する。しかしながら、上述の通り、開示される原理の範囲から逸脱せずに、グロメット５０は代替的な形状も取り得る。
【００８５】
図４５Ａ〜４５Ｃは、一体的に形成されたリベット４を備える金属製王冠本体１の側面図を示し、ここで、リベットヘッドから延在するポストは、研磨面８０を含む側壁を含む。この図示の実施形態では、リベットポストの研磨面８０は、複数列の歯として示す。さらに、そのような歯は、図４５Ａおよび図４５Ｃでは、リベットポストの表面の複数の部分にのみあるものとして示すが、図４５Ｂに示す実施形態のような他の実施形態では、歯または他の研磨特徴８０は、ポスト面の周りにわたって配置され得る。そのような全ての実施形態では、図４５Ａに示すようにリベットヘッドがリベット孔４ａの上側で圧縮されると、研磨面８０は、圧縮されたリベットヘッドと共に変形して、リベット孔４ａを直接取り囲むプルタブ３の上面と係合する。研磨面８０は、２つの本体の表面抵抗を増大させ、王冠本体がプルタブ３においてオープナアセンブリをより良好に保持するようにする。図４５Ｃは、プルタブ３上でのリベットヘッドの圧縮前の、研磨面８０を有する、例示的に形成されたリベット４の側面図を示す。図示の通り、圧縮されていないリベットポストは、プルタブ３にあるリベット孔４ａを簡単に通過する。そのような研磨面８０または他の同様の特徴を有するリベットを用いる実施形態では、プルタブ３は、非金属材料で有利に形成され得る。そのようなものとして、研磨面８０によってもたらされた、圧縮されたリベットの係合強度の増加は、ここでも、リングプルを引っ張る間に非金属製プルタブ３にある孔が意図せずに伸張する機会を減少させるかまたはなくして、王冠の刻み線に沿った引き裂きが成功するまで、王冠本体に取り付けられたままにならないようにし得る。この点で、研磨面８０は、非金属製プルタブ３を「かみ（ｂｉｔｅ）」、オープナアセンブリの使用の最中にそれが伸張しないように保つ。
【００８６】
図４６〜４８は、スカート部７の上側で、王冠の頂面１７の肩部領域と一体的に形成されたオープナアセンブリを有する、開示される原理による王冠の別の例示的な代替実施形態を示す。これらの例示的な実施形態は、オープナアセンブリに代替的なリベットレス構成を提供する。図４６は、そのような一体型のオープナアセンブリを備える容器王冠の上面等角図を示す。環状溝１２０は、王冠の上部の中心部分４ｂと、その頂面１７の王冠の肩部領域との間に形成された凹部である。面４ｂおよび頂面１７は、この実施形態では略同一平面上にある。この実施形態では、面４ｂはリベットではなく、その代わりに、王冠１の上部に凹部を形成することによって溝１２０が付形されるときに形成される中心プラトーである。リングプル２は溝１２０の範囲内に配置され得る。プルタブ３は、スカート部７および肩部領域１７から中心面４ｂの方へ延在し、プルタブ３が肩部領域１７と一体的に形成されるようにするが、リングプル２は、オープナアセンブリを使用して王冠１を引き裂く前に溝１２０の範囲内に配置される。
【００８７】
刻み線６ｉ、６ｊおよび６ｋは、プルタブ３の外側縁を画定し、かつリングプル２を用いてタブ３を引っ張ることによって王冠１が開封されるときに、前記刻み線に沿って王冠材料を破って開封するのを促す。刻み線６ｉは、スカート部７を下方に縁１６まで下がる。刻み線６ｊは、スカート部７へと下がっているが、縁１６に到達する前に曲がって、スカート部７に沿ってある距離にわたって横切る。これらの刻み線のいずれかまたは全てはまた、王冠１の裏面側から形成され得るため、必要に応じて王冠１の頂面から見えない。ユーザの指の爪がより簡単にリングプル２に係合してそれを持ち上げることができるようにすることにより、オープナアセンブリの使用を支援し得る、指の爪用ディボット１１ａも示されている。
【００８８】
本明細書で開示する王冠の他の実施形態のように、開示される原理による王冠のこのリベットレスの実施形態はまた、非金属製リングプル２から恩恵を受け得る。従って、図４６は、王冠１の肩部領域１７と一体的である金属製プルタブ３に取り付けられたそのような非金属製リングプル２を示す。また、前述の実施形態のように、非金属製リングプル２は、様々な方法のいずれか１つで金属製プルタブ３に取り付けられ得る。例えば、この図示の実施形態では、金属製プルタブ３は、非金属製リングプル２に係合する端部に形成された孔を含む。この孔は、プルタブ３のこの端部の周りに非金属製リングプル２を成形すること、または孔に流入するようにリングプル２の非金属材料をリフロー接合することなどにより、非金属製リングプル２の非金属材料を内部に収容するように構成され得る。これらの技術のいずれかは、孔内にピンまたはリベット様構造として機能するリングプル２の非金属材料を生じ、非金属製リングプル２を金属製プルタブ３に取り付ける。さらに、２つ以上のそのような孔およびピンは、非金属製リングプル２を金属製プルタブ３に取り付けるために用いられ得る。図４７は、図４６に示す王冠と同様であるが、プルタブ３に、非金属製リングプル２から２つの対応するピン構造によって係合される２つの孔を備える、リベットレス王冠の上面図を示す。当然ながら、任意の数のそのような孔およびピン構造が本開示の範囲から逸脱せずに用いられ得る。
【００８９】
図４８は、リングプルが半分開いた位置にある状態の、図４５および図４６のものと同様の王冠の上面等角図を示す。オープナアセンブリを使用して王冠を破って開封する最中に非金属製リングプル２が溝１２０から持ち上げられると、金属製プルタブ３は、線６ｉおよび６ｊに沿って王冠１を破って開封する。容器から王冠１を完全に取り除くために、リングプル２は持ち上げられて、プルタブ３の方へ引っ張られて、線６ｉが縁１６に到達するまで線６ｉおよび６ｊに沿って王冠材料を引き裂き、そこで王冠１は割れて開く。側方におよび外側に引っ張り続けると、王冠１は、線６ｊおよび６ｋに沿って裂けて、容器から王冠１をユニタリーピースで解放する。さらに、非金属製リングプルが金属製プルタブに取り付けられた、開示される原理によるリベットレス王冠の実施形態では、非金属製リングプルを金属製プルタブに固定するための他の技術が用いられてもよい。例えば、金属製タブ３の延長端部が、図４３Ｂ〜４３Ｅを参照して説明した例示的な実施形態のいずれかによるかかりを含み得る。そのような各技術では、金属製プルタブ３の延長端部は、そのようなかかりを１つ以上含んで、リングプル２の非金属材料に係合する。さらに、そのような実施形態では、非金属製リングプル２は、リングプル２を形成する最中に金属製プルタブ３の延長端部の上側に成形され得るか、または非金属製リングプル２は、金属製プルタブ３の延長端部を受け入れるサイズにされたキャビティを備えて形成され得る。これらの実施形態では、金属製プルタブ３の延長端部上にあるかかりまたは他の係合特徴または構造は、リングプル２にあるキャビティに十分に係合して、王冠を引き裂くためにオープナアセンブリを使用している最中のプルタブ３からの非金属製リングプル２の取り外しを防止する。
【００９０】
ここで開示した発明の主題の多数の実施形態では、そのような実施形態は、単に便宜上、および実際に２つ以上が開示される場合には本出願の範囲をいずれかの単一の発明または発明概念に自主的に限定することなく、「発明」という用語により、本明細書において個別におよび／またはまとめて言及され得る。従って、本明細書では具体的な実施形態を図示しかつ説明したが、同じ目的を達成するために計算されたいずれかの配置構成は、図示の具体的な実施形態の代わりにされ得ることを認識すべきである。本開示は、様々な実施形態のいずれかおよび全ての適応形態または変形形態を網羅するものとする。上述の実施形態の組み合わせ、および本明細書で具体的には説明されない他の実施形態は、上記の説明を検討することから当業者に明らかである。
【００９１】
要約書は、３７Ｃ．Ｆ．Ｒ．§１．７２（ｂ）に準拠するように提供され、読者が技術開示の本質を速やかに突き止めることができる要約を必要とする。要約書は、請求項の範囲または意義を解釈または限定するために使用されないという理解をもって提出される。さらに、上記の詳細な説明では、本開示を簡潔にするために、様々な特徴が単一の実施形態にまとめられることが分かる。開示のこの方法は、特許請求される実施形態が、各請求項で明白に言及されるものよりも多くの特徴を必要とするという意図を反映するとは解釈されない。むしろ、特許請求の範囲で反映するように、発明の主題は、単一の開示の実施形態の全ての特徴にあるわけではない。従って、以下の特許請求の範囲は詳細な説明に援用され、各請求項は別個の実施形態としてそれ自体に依存する。
【００９２】
説明では、いくつかの例示的な実施形態を参照した。しかしながら、使用された語は、限定の語ではなく、記述および説明のためのものであることが理解される。その全ての態様において、本開示の範囲および趣旨から逸脱せずに、現在記載しているようにおよび補正されるように、添付の特許請求の範囲内で変更形態がなされ得る。この説明は特定の手段、材料および実施形態に言及するが、本開示は、開示した詳細に限定されることを意図するものではない。むしろ、本開示は、添付の特許請求の範囲内にあるような、全ての機能的に均等な技術、構造、方法および使用に及ぶ。
【図１】
2018502791.tif 000005
【図２Ａ】
2018502791.tif 000006
【図２Ｂ】
2018502791.tif 000007
【図２Ｃ】
2018502791.tif 000008
【図３】
2018502791.tif 000009
【図３Ａ】
2018502791.tif 000010
【図４】
2018502791.tif 000011
【図５】
2018502791.tif 000012
【図６】
2018502791.tif 000013
【図７】
2018502791.tif 000014
【図８】
2018502791.tif 000015
【図９】
2018502791.tif 000016
【図１０Ａ】
2018502791.tif 000017
【図１０Ｂ】
2018502791.tif 000018
【図１０Ｃ】
2018502791.tif 000019
【図１０Ｄ】
2018502791.tif 000020
【図１０Ｅ】
2018502791.tif 000021
【図１０Ｆ】
2018502791.tif 000022
【図１１】
2018502791.tif 000023
【図１２】
2018502791.tif 000024
【図１３】
2018502791.tif 000025
【図１４】
2018502791.tif 000026
【図１５Ａ】
2018502791.tif 000027
【図１５Ｂ】
2018502791.tif 000028
【図１６】
2018502791.tif 000029
【図１７】
2018502791.tif 000030
【図１８】
2018502791.tif 000031
【図１９】
2018502791.tif 000032
【図２０】
2018502791.tif 000033
【図２１】
2018502791.tif 000034
【図２２】
2018502791.tif 000035
【図２３】
2018502791.tif 000036
【図２４】
2018502791.tif 000037
【図２５Ａ】
2018502791.tif 000038
【図２５Ｂ】
2018502791.tif 000039
【図２５Ｃ】
2018502791.tif 000040
【図２５Ｄ】
2018502791.tif 000041
【図２６】
2018502791.tif 000042
【図２７】
2018502791.tif 000043
【図２８】
2018502791.tif 000044
【図２９】
2018502791.tif 000045
【図３０】
2018502791.tif 000046
【図３１】
2018502791.tif 000047
【図３２】
2018502791.tif 000048
【図３３】
2018502791.tif 000049
【図３４】
2018502791.tif 000050
【図３５】
2018502791.tif 000051
【図３６】
2018502791.tif 000052
【図３７】
2018502791.tif 000053
【図３８Ａ】
2018502791.tif 000054
【図３８Ｂ】
2018502791.tif 000055
【図３９】
2018502791.tif 000056
【図４０】
2018502791.tif 000057
【図４１Ａ】
2018502791.tif 000058
【図４１Ｂ】
2018502791.tif 000059
【図４２】
2018502791.tif 000060
【図４３Ａ】
2018502791.tif 000061
【図４３Ｂ】
2018502791.tif 000062
【図４３Ｃ】
2018502791.tif 000063
【図４３Ｄ】
2018502791.tif 000064
【図４３Ｅ】
2018502791.tif 000065
【図４４】
2018502791.tif 000066
【図４４Ａ】
2018502791.tif 000067
【図４４Ｂ】
2018502791.tif 000068
【図４５Ａ】
2018502791.tif 000069
【図４５Ｂ】
2018502791.tif 000070
【図４５Ｃ】
2018502791.tif 000071
【図４６】
2018502791.tif 000072
【図４７】
2018502791.tif 000073
【図４８】
2018502791.tif 000074
【国際調査報告】
2018502791.tif 000075